(57)【要約】【課題】診断に係るレポートを効率良く且つ的確に作成することが可能な技術を提供する。【解決手段】部位に係る第１項目を含む複数の項目それぞれに複数の要素が属し且つ複数の項目にわたる要素の複数の組合せを示す組合せ情報群が記憶されており、医用画像で注目位置が指定されると、該注目位置に対応する第１項目に係る２以上の要素が認識される。該２以上の要素のうちの１つの要素が指定されると、組合せ情報群のうちの指定された１つの要素に対応する要素の１以上の組合せに含まれ且つ第２項目に属する２以上の要素が他の要素とは区別可能な態様で表示される。そして、表示されている第２項目に属する２以上の要素のうちの１以上の要素が指定されると、組合せ情報群のうちの指定された１つの要素と１以上の要素それぞれとの組に対応する要素の少なくとも１つの組合せに含まれ且つ第３項目に属する要素が他の要素とは区別可能な態様で表示される。【選択図】図２
2015156122.tif 000002
【特許請求の範囲】
【請求項１】
体内の３次元の構造における部位に係る第１項目ならびに該第１項目とは異なる第２項目および第３項目を含む複数の項目に対してそれぞれ複数の要素が属しており、且つ前記複数の項目にわたる要素の複数の組合せを示す組合せ情報群を記憶可能な記憶部と、
ユーザーの動作に応じて、表示部に表示されている医用画像における注目位置を指定する位置指定部と、
前記注目位置に対応する前記第１項目に属する２以上の要素を認識する部位認識部と、
ユーザーの動作に応じて、前記部位認識部によって認識された前記２以上の要素のうちの１つの要素を指定する部位指定部と、
前記組合せ情報群のうちの、前記部位指定部によって指定された１つの要素に対応する要素の１以上の組合せに基づいて、該要素の１以上の組合せに含まれ且つ前記第２項目に属する２以上の要素を他の要素とは区別可能な態様で前記表示部に表示させる表示制御部と、
ユーザーの動作に応じて、前記表示部に表示されている前記第２項目に属する２以上の要素のうちの１以上の要素を指定する要素指定部と、を備え、
前記表示制御部が、
前記組合せ情報群のうちの、前記部位指定部によって指定された１つの要素と前記要素指定部によって指定された１以上の要素それぞれとの組に対応する要素の少なくとも１つの組合せに基づいて、該要素の少なくとも１つの組合せに含まれ且つ前記第３項目に属する要素を他の要素とは区別可能な態様で前記表示部に表示させることを特徴とする情報処理システム。
【請求項２】
請求項１に記載の情報処理システムであって、
前記第２項目が、所見に係る項目であり、
前記第３項目が、診断に係る項目であることを特徴とする情報処理システム。
【請求項３】
請求項１または請求項２に記載の情報処理システムであって、
前記表示制御部が、
前記組合せ情報群の少なくとも一部の組合せ情報に基づいて、前記第１項目に係る項目名に対して該第１項目に属する要素が挙げられている第１部分と、前記第２項目に係る項目名に対して該第２項目に属する要素が挙げられている第２部分と、前記第３項目に係る項目名に対して該第３項目に属する要素が挙げられている第３部分とを含む複数の要素の一覧を前記表示部に表示させ、
前記一覧において、前記部位指定部による１つの要素の指定に応答して、前記組合せ情報群のうちの前記部位指定部によって指定された１つの要素に対応する要素の１以上の組合せに含まれ且つ前記第２項目に属する要素を、該要素の１以上の組合せにおいて出現する度合いに応じた態様で表示させ、
前記一覧において、前記要素指定部による１以上の要素の指定に応答して、前記組合せ情報群のうちの前記部位指定部によって指定された１つの要素と前記要素指定部によって指定された１以上の要素それぞれとの組に対応する要素の少なくとも１つの組合せに含まれ且つ前記第３項目に属する要素を、該要素の少なくとも１つの組合せにおいて出現する度合いに応じた態様で表示させることを特徴とする情報処理システム。
【請求項４】
請求項３に記載の情報処理システムであって、
前記表示制御部が、
前記一覧において、前記部位指定部による１つの要素の指定に応答して、前記組合せ情報群のうちの前記部位指定部によって指定された１つの要素に対応する要素の１以上の組合せに含まれ且つ前記第２項目に属する要素を、前記第２項目に属する残余の要素とは区別可能な態様で表示させ、
前記一覧において、前記要素指定部による１以上の要素の指定に応答して、前記組合せ情報群のうちの前記部位指定部によって指定された１つの要素と前記要素指定部によって指定された１以上の要素それぞれとの組に対応する要素の少なくとも１つの組合せに含まれ且つ前記第３項目に属する要素を、前記第３項目に属する残余の要素とは区別可能な態様で表示させることを特徴とする情報処理システム。
【請求項５】
請求項１または請求項２に記載の情報処理システムであって、
前記表示制御部が、
前記部位指定部による１つの要素の指定に応答して、前記組合せ情報群のうちの前記部位指定部によって指定された１つの要素に対応する要素の１以上の組合せに含まれ且つ前記第２項目に属する１以上の要素を示す第１一覧を前記表示部に表示させ、
前記第１一覧に示されている１以上の要素のうちの前記要素指定部による１以上の要素の指定に応答して、前記組合せ情報群のうちの、前記部位指定部によって指定された１つの要素と前記要素指定部によって指定された１以上の要素それぞれとの組に対応する要素の少なくとも１つの組合せに含まれ且つ前記第３項目に属する１以上の要素を示す第２一覧を前記表示部に表示させることを特徴とする情報処理システム。
【請求項６】
請求項１から請求項５の何れか１つの請求項に記載の情報処理システムであって、
前記記憶部が、
予め定められた体内の３次元の構造に係る体内モデルの位置情報と前記第１項目に属する要素とが対応付けられている対応情報を記憶することが可能であり、
前記部位認識部が、
前記位置指定部によって指定された前記注目位置の前記医用画像における位置情報を、前記体内モデルにおける位置情報に変換し、該体内モデルにおける位置情報に対応する前記第１項目に属する２以上の要素を前記対応情報から抽出することで、前記注目位置に対応する前記第１項目に属する２以上の要素を認識することを特徴とする情報処理システム。
【請求項７】
請求項１から請求項６の何れか１つの請求項に記載の情報処理システムであって、
前記位置指定部によって前記医用画像において指定された前記注目位置の前記医用画像における位置情報を前記記憶部に記憶させる記憶制御部、を更に備え、
前記表示制御部が、
前記記憶部に記憶されている前記注目位置の前記医用画像における位置情報に基づいて、前記表示部において前記注目位置を周囲の部分とは区別可能な態様で前記医用画像上に表示させることを特徴とする情報処理システム。
【請求項８】
情報処理システムに含まれるプロセッサーで実行されることで、前記情報処理システムを請求項１から請求項７の何れか１つの請求項に記載の情報処理システムとして機能させることを特徴とするプログラム。
【発明の詳細な説明】
【技術分野】
【０００１】
本発明は、情報処理システムおよびプログラムに関する。
【背景技術】
【０００２】
医療の現場では、医師が各種モダリティーによって生成された医用画像を表示しながら病変部の状態を観察することで所見等を得る画像診断が行われる。この画像診断では、医師によって所見文を含む診断の結果が記されたレポートが作成される。
【０００３】
但し、このレポートには、例えば、撮影条件、基本部位、基本所見および診断等と言った各種用語を入力すべき複数の項目が存在している。このため、このようなレポートを作成する作業が医師にとっては大きな負担となっている。
【０００４】
そこで、診断の結果が記されたレポートの作成を支援することが目的とされて、例えば、画像に含まれる異常が検出され、その異常の種類および位置の組み合わせが用いられて読影レポートが作成される技術が提案されている（例えば、特許文献１等）。
【先行技術文献】
【特許文献】
【０００５】
【特許文献１】特許第３３３２１０４号明細書
【発明の概要】
【発明が解決しようとする課題】
【０００６】
しかしながら、上記特許文献１の技術では、画像で捉えられた体内の構造が、２次元の座標系に係る構造として捉えられ、例えば、左右の上肺野、中肺野および上肺野と言った６つの位置のみから異常の位置が検出される。このため、上記特許文献１の技術では、各種モダリティーによって生成される医用画像で捉えられた被写体としての３次元の体内の構造から異常の位置が的確に検出され難く、的確な所見文が効率良く作成され難かった。
【０００７】
本発明は、上記課題に鑑みてなされたものであり、診断に係るレポートを効率良く且つ的確に作成することが可能な技術を提供することを目的とする。
【課題を解決するための手段】
【０００８】
上記課題を解決するために、第１の態様に係る情報処理システムは、体内の３次元の構造における部位に係る第１項目ならびに該第１項目とは異なる第２項目および第３項目を含む複数の項目に対してそれぞれ複数の要素が属しており、且つ前記複数の項目にわたる要素の複数の組合せを示す組合せ情報群を記憶可能な記憶部と、ユーザーの動作に応じて、表示部に表示されている医用画像における注目位置を指定する位置指定部と、前記注目位置に対応する前記第１項目に属する２以上の要素を認識する部位認識部と、ユーザーの動作に応じて、前記部位認識部によって認識された前記２以上の要素のうちの１つの要素を指定する部位指定部と、前記組合せ情報群のうちの、前記部位指定部によって指定された１つの要素に対応する要素の１以上の組合せに基づいて、該要素の１以上の組合せに含まれ且つ前記第２項目に属する２以上の要素を他の要素とは区別可能な態様で前記表示部に表示させる表示制御部と、ユーザーの動作に応じて、前記表示部に表示されている前記第２項目に属する２以上の要素のうちの１以上の要素を指定する要素指定部と、を備え、前記表示制御部が、前記組合せ情報群のうちの、前記部位指定部によって指定された１つの要素と前記要素指定部によって指定された１以上の要素それぞれとの組に対応する要素の少なくとも１つの組合せに基づいて、該要素の少なくとも１つの組合せに含まれ且つ前記第３項目に属する要素を他の要素とは区別可能な態様で前記表示部に表示させる。
【０００９】
第２の態様に係る情報処理システムは、第１の態様に係る情報処理システムであって、前記第２項目が、所見に係る項目であり、前記第３項目が、診断に係る項目である。
【００１０】
第３の態様に係る情報処理システムは、第１または第２の態様に係る情報処理システムであって、前記表示制御部が、前記組合せ情報群の少なくとも一部の組合せ情報に基づいて、前記第１項目に係る項目名に対して該第１項目に属する要素が挙げられている第１部分と、前記第２項目に係る項目名に対して該第２項目に属する要素が挙げられている第２部分と、前記第３項目に係る項目名に対して該第３項目に属する要素が挙げられている第３部分とを含む複数の要素の一覧を前記表示部に表示させ、前記一覧において、前記部位指定部による１つの要素の指定に応答して、前記組合せ情報群のうちの前記部位指定部によって指定された１つの要素に対応する要素の１以上の組合せに含まれ且つ前記第２項目に属する要素を、該要素の１以上の組合せにおいて出現する度合いに応じた態様で表示させ、前記一覧において、前記要素指定部による１以上の要素の指定に応答して、前記組合せ情報群のうちの前記部位指定部によって指定された１つの要素と前記要素指定部によって指定された１以上の要素それぞれとの組に対応する要素の少なくとも１つの組合せに含まれ且つ前記第３項目に属する要素を、該要素の少なくとも１つの組合せにおいて出現する度合いに応じた態様で表示させる。
【００１１】
第４の態様に係る情報処理システムは、第３の態様に係る情報処理システムであって、前記表示制御部が、前記一覧において、前記部位指定部による１つの要素の指定に応答して、前記組合せ情報群のうちの前記部位指定部によって指定された１つの要素に対応する要素の１以上の組合せに含まれ且つ前記第２項目に属する要素を、前記第２項目に属する残余の要素とは区別可能な態様で表示させ、前記一覧において、前記要素指定部による１以上の要素の指定に応答して、前記組合せ情報群のうちの前記部位指定部によって指定された１つの要素と前記要素指定部によって指定された１以上の要素それぞれとの組に対応する要素の少なくとも１つの組合せに含まれ且つ前記第３項目に属する要素を、前記第３項目に属する残余の要素とは区別可能な態様で表示させる。
【００１２】
第５の態様に係る情報処理システムは、第１または第２の態様に係る情報処理システムであって、前記表示制御部が、前記部位指定部による１つの要素の指定に応答して、前記組合せ情報群のうちの前記部位指定部によって指定された１つの要素に対応する要素の１以上の組合せに含まれ且つ前記第２項目に属する１以上の要素を示す第１一覧を前記表示部に表示させ、前記第１一覧に示されている１以上の要素のうちの前記要素指定部による１以上の要素の指定に応答して、前記組合せ情報群のうちの、前記部位指定部によって指定された１つの要素と前記要素指定部によって指定された１以上の要素それぞれとの組に対応する要素の少なくとも１つの組合せに含まれ且つ前記第３項目に属する１以上の要素を示す第２一覧を前記表示部に表示させる。
【００１３】
第６の態様に係る情報処理システムは、第１から第５の何れか１つの態様に係る情報処理システムであって、前記記憶部が、予め定められた体内の３次元の構造に係る体内モデルの位置情報と前記第１項目に属する要素とが対応付けられている対応情報を記憶することが可能であり、前記部位認識部が、前記位置指定部によって指定された前記注目位置の前記医用画像における位置情報を、前記体内モデルにおける位置情報に変換し、該体内モデルにおける位置情報に対応する前記第１項目に属する２以上の要素を前記対応情報から抽出することで、前記注目位置に対応する前記第１項目に属する２以上の要素を認識する。
【００１４】
第７の態様に係る情報処理システムは、第１から第６の何れか１つの態様に係る情報処理システムであって、前記位置指定部によって前記医用画像において指定された前記注目位置の前記医用画像における位置情報を前記記憶部に記憶させる記憶制御部、を更に備え、前記表示制御部が、前記記憶部に記憶されている前記注目位置の前記医用画像における位置情報に基づいて、前記表示部において前記注目位置を周囲の部分とは区別可能な態様で前記医用画像上に表示させる。
【００１５】
第８の態様に係るプログラムは、情報処理システムに含まれるプロセッサーで実行されることで、前記情報処理システムを第１から第７の何れか１つの態様に係る情報処理システムとして機能させる。
【発明の効果】
【００１６】
第１から第７の何れの態様に係る情報処理システムによっても、体内の３次元の構造に応じたレポートの作成が誘導されるため、診断に係るレポートが効率良く且つ的確に作成され得る。
【００１７】
第２の態様に係る情報処理システムによれば、診断に係るレポートの作成において所見および診断に係る要素が容易に指定され得る。
【００１８】
第３および第４の何れの態様に係る情報処理システムによっても、診断に係るレポートの作成において要素が更に容易に指定され得る。
【００１９】
第５の態様に係る情報処理システムによれば、限られた表示領域においても、診断に係るレポートが容易に作成され得る。
【００２０】
第６の態様に係る情報処理システムによれば、体内の３次元の構造に応じた部位が容易に認識され得る。
【００２１】
第７の態様に係る情報処理システムによれば、注目位置の参照が容易であるため、診断に係るレポートの的確な作成が可能となる。
【００２２】
第８の態様に係るプログラムによれば、第１から第７の態様に係る情報処理システムと同様な効果が得られる。
【図面の簡単な説明】
【００２３】
【図１】一実施形態に係る情報処理システムの全体構成を例示する図である。
【図２】一実施形態に係る情報処理システムの主な構成を示すブロック図である。
【図３】診療情報の内容を例示する図である。
【図４】支援情報の内容を例示する図である。
【図５】位置対応情報の具体例を示す図である。
【図６】優先度情報の具体例を示す図である。
【図７】所見文の一例を示す図である。
【図８】所見文の構造を例示する図である。
【図９】用語情報の具体例を示す図である。
【図１０】組合せ頻度情報の具体例を示す図である。
【図１１】診断支援処理に係る機能的な構成を示すブロック図である。
【図１２】診断支援処理の動作フローを示すフローチャートである。
【図１３】診断支援処理の動作フローを示すフローチャートである。
【図１４】診断支援処理の動作フローを示すフローチャートである。
【図１５】検査一覧画面を例示する図である。
【図１６】作成支援画面を例示する図である。
【図１７】第３領域を例示する図である。
【図１８】第４領域を例示する図である。
【図１９】医用画像に対する診断領域の設定方法を説明するための図である。
【図２０】医用画像上における部位の指定態様の一例を示す図である。
【図２１】注目位置の医用画像上における位置を例示する図である。
【図２２】注目位置の体内モデル上における位置を例示する図である。
【図２３】基本部位に係る用語の候補を認識する方法を例示する図である。
【図２４】基本部位に係る用語の候補を認識する方法を例示する図である。
【図２５】基本部位に係る用語の候補を認識する方法を例示する図である。
【図２６】左中肺野が指定された支援テンプレートを例示する図である。
【図２７】詳細ウインドウを例示する図である。
【図２８】中肺野および結節影が指定された支援テンプレートを例示する図である。
【図２９】左肺門部が指定された支援テンプレートを例示する図である。
【図３０】左側肋骨が指定された支援テンプレートを例示する図である。
【図３１】左肺門部および拡大が指定された支援テンプレートを例示する図である。
【図３２】左側肋骨および硬化像が指定された支援テンプレートを例示する図である。
【図３３】一変形例に係る所見ウインドウを例示する図である。
【図３４】一変形例に係る診断ウインドウを例示する図である。
【発明を実施するための形態】
【００２４】
以下、本発明の一実施形態ならびに変形例を図面に基づいて説明する。なお、図面においては同様な構成および機能を有する部分については同じ符号が付されており、下記説明では重複説明が省略される。また、図面は模式的に示されたものであり、各図における各種構造のサイズならびに位置関係等は、正確に図示されたものではなく、適宜に変更可能である。
【００２５】
＜(１)情報処理システムの全体構成＞
図１は、一実施形態に係る情報処理システム１の全体構成を例示する図である。情報処理システム１は、例えば、病院等の医療機関に設けられるシステムであり、例えば、図１で示されるように、サーバー１０、モダリティー２０および端末機器３０を備えている。サーバー１０、モダリティー２０および端末機器３０の間は、通信回線Ｗ１によってデータの送受信が可能に接続されている。通信回線Ｗ１は、有線回線および無線回線の何れであっても良い。本実施形態では、通信回線Ｗ１が、ＬＡＮ(Local Area Network)回線である。
【００２６】
サーバー１０は、モダリティー２０で取得された、撮影対象物としての体内における３次元の構造物が捉えられた医療用の画像（医用画像とも言う）のデータを格納するコンピューター装置である。該サーバー１０は、端末機器３０からの要求に応じて、該端末機器３０に所望の医用画像のデータを提供する。また、サーバー１０は、端末機器３０における医用画像を対象とした診断を支援する処理（診断支援処理とも言う）を実行するための各種機能を有する。診断支援処理には、例えば、医用画像を対象とした診断の結果を示すレポート（診断結果レポートとも言う）の作成を支援する処理が含まれる。診断結果レポートには、例えば、読影の結果を示す読影レポートが含まれる。
【００２７】
モダリティー２０は、例えば、コンピューターＸ線撮影（ＣＲ）装置および超音波診断（ＵＳ）装置等と言った、撮影対象物としての体内における３次元の構造物が捉えられた医用画像のデータを取得する装置である。なお、撮影対象物は、ヒトだけに限られず、例えば、その他の動物であっても良い。また、体内における３次元の構造物としては、例えば、胸部の領域に含まれる各種臓器、骨および関節等が挙げられる。
【００２８】
端末機器３０は、例えば、パーソナルコンピューター（以下、パソコンと略称する）等の形態を有しており、医療の専門知識を有している医師等のユーザーが診断結果レポートを入力する端末機器である。
【００２９】
＜(２)情報処理システムの主な構成＞
図２は、一実施形態に係る情報処理システム１の主な構成を示すブロック図である。図２で示されるように、サーバー１０は、例えば、制御部１１、記憶部１２および通信部１５がバスライン１６に接続された構成を有し、バスライン１６は、通信部１５を介して通信回線Ｗ１に接続されている。また、端末機器３０は、例えば、制御部３１、記憶部３２、操作部３３、表示部３４および通信部３５がバスライン３６に接続された構成を有し、バスライン３６は、通信部３５を介して通信回線Ｗ１に接続されている。
【００３０】
＜(２−１)サーバー＞
制御部１１は、例えば、ＣＰＵ（Central Processing Unit）等のプロセッサー１１ａ、および揮発性のＲＡＭ（Random Access Memory）等のメモリー１１ｂ等を有している。プロセッサー１１ａは、記憶部１２に記憶されているプログラム１２３を読み出して、該プログラム１２３に従った各種処理を実行することで、診断支援処理を実現する。すなわち、プログラム１２３が、プロセッサー１１ａで実行されることで、診断支援処理を実行する情報処理システム１の機能が実現される。
【００３１】
記憶部１２は、例えば、不揮発性の半導体メモリーあるいはハードディスク等を備えている。該記憶部１２には、例えば、診療情報１２１、支援情報１２２およびプログラム１２３が記憶され得る。また、記憶部１２には、例えば、プログラム１２３に従った処理の実行に必要なパラメーター等を示す各種データ、ならびに演算処理の結果として少なくとも一時的に生成されるデータ等が格納され得る。
【００３２】
図３は、診療情報１２１の内容を例示する図である。図３で示されるように、診療情報１２１には、例えば、電子カルテデータベース（電子カルテＤＢ）１２１ａ、検査リスト１２１ｂ、画像データベース（画像ＤＢ）１２１ｃおよびレポートデータベース（レポートＤＢ）１２１ｄが含まれている。
【００３３】
電子カルテＤＢ１２１ａには、例えば、多数の患者についての電子カルテのデータが蓄積されている。
【００３４】
検査リスト１２１ｂには、例えば、多数の検査に係る基本的な情報が列挙されている。基本的な情報には、例えば、対象者の識別情報（ＩＤ）、氏名、生年月日、年齢、性別、診断結果レポートの作成に係る状態、検査の識別情報（検査ＩＤ）、検査日、検査部位、医用画像を取得したモダリティーおよび医用画像の枚数等に係る情報が含まれる。診断結果レポートの作成に係る状態には、例えば、診断結果レポートが未作成である状態（未作成状態とも言う）および診断結果レポートが作成されている状態（作成済状態とも言う）等が含まれる。
【００３５】
画像ＤＢ１２１ｃには、例えば、検査リスト１２１ｂに列挙された各検査についてのモダリティー２０で取得された医用画像のデータが、検査リストに列挙された検査ＩＤ等の識別情報と関連付けられた状態で格納されている。
【００３６】
レポートＤＢ１２１ｄには、検査リスト１２１ｂに列挙された各検査についての診断結果レポートのデータが、検査リスト１２１ｂに列挙された検査ＩＤ等の識別情報と関連付けられて格納されている。
【００３７】
図４は、支援情報１２２の内容を例示する図である。図４で示されるように、支援情報１２２には、例えば、位置対応情報１２２ａ、優先度情報１２２ｂ、用語情報１２２ｃおよび組合せ頻度情報１２２ｄが含まれる。
【００３８】
位置対応情報１２２ａは、予め定められた体内の３次元の構造に係るモデル（体内モデル）における位置情報と、体内の３次元の構造における基本的な部位（基本部位とも言う）を示す項目に属する要素とが対応付けられている情報である。本実施形態では、基本部位を示す項目に属する要素は、基本部位の名称を示す用語である。つまり、位置対応情報１２２ａには、例えば、人体の解剖学的な区分（解剖学的区分とも言う）を示す複数の基本部位の名称を示す用語と、予め設定された体内モデルの所定領域の位置情報とが対応付けられた情報が含まれる。
【００３９】
図５は、位置対応情報１２２ａの内容を例示する図である。図５で示されるように、胸部の解剖学的区分を示す基本部位の名称を示す用語は、例えば、カテゴリーを示す用語（肺野、縦隔、骨）毎に、予め設定された体内モデルの所定領域の位置情報に紐付けされている。ここで、カテゴリーとしての「肺野」に係る基本部位の名称を示す用語には、肺野全体、肺尖部、・・・、肺門部が含まれる。また、カテゴリーとしての「縦隔」に係る基本部位の名称を示す用語には、肺門部、肺動脈、・・・、後縦隔が含まれる。また、カテゴリーとしての「骨」に係る基本部位の名称を示す用語には、肋骨、胸椎、・・・、腰椎が含まれる。
【００４０】
また、図５には、解剖学的区分である中肺野とこれに対応する体内モデルの領域Ａ１、解剖学的区分である肺門部とこれに対応する体内モデルの領域Ａ２、ならびに解剖学的区分である肋骨とこれに対応する体内モデルの領域Ａ３が一例として示されている。領域Ａ１〜Ａ３は、例えば、解剖学的な知識に基づいて所定領域として予め設定され得る。
【００４１】
また、図５で示されるように、体内モデルには、後述する部位認識処理が実行される際に基準となる解剖学的な領域（解剖学的領域とも言う）を規定する基準領域Ｒ０（図５における一点鎖線で囲まれた領域）が予め設定されている。図５の例では、基準領域Ｒ０の左上端の点Ｒ１の座標（ｘｍ１，ｙｍ１）と、右下端の点Ｒ２の座標（ｘｍ２，ｙｍ２）が設定されている。なお、基準領域Ｒ０はユーザーの任意で設定変更可能である。図５の例では、体内モデルは、胸部内の三次元の構造を捉えた正面像（胸部正面像とも言う）に対応するもので、該体内モデルに設定された解剖学的領域は、胸部正面像について診断を行う上で重要な肺野と縦隔とを含む胸郭領域と該胸郭領域を形成する骨とを含む。
【００４２】
優先度情報１２２ｂは、位置対応情報１２２ａで列挙されている胸部の解剖学的区分を示す基本部位の名称を示す用語と、優先度を示す数値（優先度数とも言う）とが対応付けられた情報である。該優先度情報１２２ｂは、後述する部位指定部３０８において利用される。例えば、医師によって医用画像上において注目する領域（注目領域とも言う）が指定され、注目領域に対応する基本部位に係る複数の用語が認識される場合、優先度数に従って、優先度数が高い基本部位に係る用語が優先的に指定される。
【００４３】
図６は、優先度情報１２２ｂの内容を例示する図である。図６で示されるように、胸部の解剖学的区分としての基本部位の各名称を示す用語に対して、優先度を示す数値がそれぞれ対応付けられている。
【００４４】
用語情報１２２ｃは、例えば、診断結果レポートに含まれる所見文および該所見文に係る属性情報について、項目毎に各項目で使用され得る１以上の要素としての用語が列挙されている情報である。本実施形態では、用語情報１２２ｃは、テーブルの形式を有する。
【００４５】
ここで、読影レポートの所見文を例に挙げれば、項目には、例えば、「検査部位」および「撮影条件」等の属性情報に係る項目、ならびに「基本部位」「基本所見」および「診断」等の患者の現状に係る複数の項目等が含まれる。つまり、本実施形態では、該複数の項目には、第１項目としての部位に係る項目、第２項目としての所見に係る項目および第３項目としての診断に係る項目が含まれる。これにより、診断結果レポートの作成における所見および診断に係る要素が容易に指定され得る。なお、用語には、該用語を示す記号等も含まれ得る。
【００４６】
図７は、所見文の一例を示す図である。図８は、図７で示された所見文の構成を説明するための図である。図７で示される所見文は、図８で示されるように、主な４種類の項目（撮影条件、基本部位、基本所見、診断）の用語、ならびにその他の語句（助詞および結語等）によって構成される。具体的には、図７で示される所見文は、項目「撮影条件」に係る用語「正面像」、項目「基本部位」に係る用語「上肺野」、項目「基本所見」に係る用語「結節影」および「スリガラス影」、ならびに項目「診断」に係る用語「肺炎」等によって構成される。
【００４７】
図９は、用語情報１２２ｃの一部の内容を例示する図である。図９で示されるように、例えば、用語情報１２２ｃでは、カテゴリー（ここでは、肺野、縦隔、骨）毎に、４項目（撮影条件、基本部位、基本所見、診断）に対し、複数の用語がそれぞれ列挙される。つまり、用語情報１２２ｃでは、体内の３次元の構造における部位に係る第１項目としての基本部位、該第１項目とは異なる第２項目としての基本所見および第３項目としての診断を含む複数の項目に対してそれぞれ複数の用語が属している。
【００４８】
例えば、カテゴリーとしての「肺野」については、項目としての「撮影条件」に対し、複数の用語（正面像、側面増、側臥位像）が列挙され、項目としての「基本部位」に対し、複数の用語（肺野全体、肺尖部、上肺野等）が列挙される。また、例えば、項目としての「基本所見」に対し、複数の用語（腫瘤影、スリガラス影、濃度上昇域等）が列挙され、項目としての「診断」に対し、疾患の各分類（感染性疾患等）に係る複数の用語（間質性肺炎、肺炎等）が列挙される。
【００４９】
組合せ頻度情報１２２ｄは、所見文等を含む診断結果レポートで使用される用語の組合せの頻度を示す情報である。本実施形態では、組合せ頻度情報１２２ｄは、テーブルの形式を有する。該頻度としては、例えば、過去の多数の診断結果レポートで使用された用語の組合せの回数等が採用され得る。つまり、組合せ頻度情報１２２ｄでは、体内の３次元の構造における部位に係る第１項目としての基本部位、第２項目としての基本所見および第３項目としての診断を含む複数の項目に対してそれぞれ複数の用語が属している。そして、組合せ情報群としての組合せ頻度情報１２２ｄは、複数の項目にわたる用語の複数の組み合わせを示す。
【００５０】
図１０は、組合せ頻度情報１２２ｄの一部の内容を例示する図である。例えば、図１０で示されるように、過去の１つの診断結果レポートで使用された用語の組合せが１回の用語の組合せとされ、過去の多数の診断結果レポートについて、用語の組合せ毎に、用語の組合せの回数が列挙される。つまり、組合せ情報群としての組合せ頻度情報１２２ｄには、用語の複数の組合せを示す情報（組合せ情報とも言う）が含まれている。
【００５１】
また、本実施形態では、用語情報１２２ｃおよび組合せ頻度情報１２２ｄは、例えば、検査部位（例えば、ＣＨＥＳＴおよびＨＥＡＤ等）とモダリティー（ＣＲおよびＵＳ等）に係る用語の組合せ毎に、区別可能な態様で蓄積される。
【００５２】
なお、上述した用語情報１２２ｃおよび組合せ頻度情報１２２ｄは、例えば、ＲＤＦ（Resource Description Framework）およびＸＭＬ（Extensible Markup Language）等を利用した多数の診断結果レポートの構造化によって得られた情報から作成され得る。例えば、各診断結果レポートについて、自然文である所見文から必要な要素が抽出されるとともに、属性情報に含まれる各種要素も抽出され、ＲＤＦ（Resource Description Framework）等を利用した構造化が行われる。これにより、多数の診断結果レポートについて、多数の構造化された診断結果レポートに係るデータ（構造化レポートデータとも言う）がそれぞれ生成される。本実施形態では、所見文および属性情報から抽出される要素は用語である。用語には該用語を示す記号等も含まれる。
【００５３】
具体的には、例えば、機械学習で得られたモデルデータに基づき、レポートデータおよび属性情報に含まれる各種情報が、項目毎に、用語に分解されてＲＤＦを用いて記述されることで、診断結果レポートに係る情報が構造化される。ここで、モデルデータは、既存の診断結果レポートを構成する各要素をどの様な項目に係る要素に分解するのかを示すモデルのデータである。項目には、例えば、属性情報に係る項目（検査部位、撮影条件等）、ならびに患者の現状に係る複数の項目（基本部位、基本所見、診断等）が含まれる。
【００５４】
例えば、図７で示される所見文については、図８で示されるように、項目毎に用語に分解される。具体的には、項目「撮影条件」について用語「正面像」が認識され、項目「基本部位」について用語「上肺野」が認識され、項目「基本所見」について用語「結節影」「スリガラス影」が認識され、項目「診断」について用語「肺炎」が認識される。
【００５５】
なお、用語情報１２２ｃおよび組合せ頻度情報１２２ｄが構築される際には、同義語（例えば「Ｔ２強調画像」と「Ｔ２Ｗ１」等）が多く存在していると、用語の数が増大し過ぎる。そこで、同義語については、例えば、代表的な１つの用語に置き換えられる処理が行われる態様が採用され得る。この用語の代表的な用語への置き換えは、例えば、機械学習で学習される情報に、複数の用語と代表的な用語とを対応付けたテーブルを含ませることで、実現され得る。
【００５６】
また、診断結果レポートでは、例えば、各項目についての用語には、修飾語、接頭語（接頭辞）および接尾語（接尾辞）等の用語が付加される場合がある。例えば、「円形の結節影」は、基本所見の用語「結節影」と修飾語「円形の」とが複合したものである。そこで、自然文である所見文から、各項目について、詳細な項目「修飾語」、「接頭語」および「接尾語」に係る用語（以下、詳細要素とも称する）が認識され、このような詳細要素も含めた態様で、構造化レポートデータが生成される態様が採用されても良い。なお、用語情報１２２ｃおよび組合せ頻度情報１２２ｄも、詳細要素も含めた態様で生成されても良い。
【００５７】
ところで、診療情報１２１に蓄積される診断結果レポートは、端末機器３０からの入力に応じて新たな診断結果レポートが生成される度に増加し得る。この時間とともに更に蓄積されていく診断結果レポートも過去の知識として利用できれば有効である。このため、新たに生成された診断結果レポートに係る用語および用語の組合せも、用語情報１２２ｃおよび組合せ頻度情報１２２ｄに反映されれば有効である。このような態様が採用されれば、特に、これまでにない所見文等が、新たに蓄積された診断結果レポートに含まれる場合には、過去の知識が更に進化するため、利用価値が高い。
【００５８】
通信部１５は、例えば、サーバー１０以外の機器等との間で、通信回線Ｗ１等を介したデータの送受信を行う。
【００５９】
＜(２−２)端末機器＞
制御部３１は、例えば、ＣＰＵ等のプロセッサー３１ａ、および揮発性のＲＡＭ等のメモリー３１ｂ等を有している。プロセッサー３１ａは、記憶部３２に記憶されているプログラム３２１を読み出して、該プログラム３２１に従った各種処理を実行することで、診断支援処理を実現する。すなわち、プログラム３２１が、プロセッサー３１ａで実行されることで、診断支援処理を実行する情報処理システム１の機能が実現される。
【００６０】
記憶部３２は、例えば、不揮発性の半導体メモリーあるいはハードディスク等を備えており、プログラム３２１および各種データを記憶する。各種データには、プログラム３２１に従った処理の実行に必要なパラメーター等を示すデータ、ならびに演算処理の結果として少なくとも一時的に生成されるデータ等が含まれ得る。
【００６１】
操作部３３は、例えば、キーボードおよびマウス等のポインティングデバイス等を備えている。操作部３３では、キーボードおよびマウス等に対する操作に応じて生じる信号（指示信号とも言う）が制御部３１に出力される。なお、操作部３３には、タッチパネル等の構成が採用されても良い。
【００６２】
表示部３４は、例えば、液晶表示ディスプレイ（ＬＣＤ）等の各種ディスプレイ装置を有している。表示部３４では、例えば、制御部３１から入力される信号に応じて、各種情報が可視的に出力される。
【００６３】
通信部３５は、例えば、端末機器３０以外の機器等との間で、通信回線Ｗ１等を介したデータの送受信を行う。
【００６４】
＜(３)診断支援処理に係る機能的な構成＞
図１１は、診断支援処理に係る機能的な構成を示すブロック図である。
【００６５】
情報処理システム１は、例えば、制御部１１，３１において、診断支援処理を実現するための複数の機能的な構成を有する。該複数の機能的な構成は、読出部３０１、検査指定部３０２、管理部３０３、表示制御部３０４、位置指定部３０５、部位認識部３０６、記憶制御部３０７、部位指定部３０８、情報抽出部３０９、関連認識部３１０、要素指定部３１１および登録指定部３１２を含む。
【００６６】
読出部３０１は、操作部３３からの信号および管理部３０３による指令に応じて、診療情報１２１から各種情報を読み出す。ここで読み出される各種情報には、例えば、検査リスト１２１ｂの情報、および診断結果レポートの作成の対象となる検査（作成対象検査とも言う）に係る各種データ等が含まれる。そして、読出部３０１で読み出された各種情報は、適宜、表示制御部３０４の制御によって表示部３４において可視的に出力される。これにより、例えば、後述する検査一覧画面ＤＬ１（図１５）が表示部３４に表示され、作成対象検査に係る医用画像のデータが表示部３４において可視的に出力される。
【００６７】
検査指定部３０２は、操作部３３からの信号に応じて、作成対象検査を指定する。
【００６８】
管理部３０３は、検査指定部３０２で指定された作成対象検査に対応する診断結果レポートの作成に係るタスクを特定し、読出部３０１に、診療情報１２１から作成対象検査に係る各種情報を読み出させる。ここで読み出される各種情報には、例えば、作成対象検査に係る医用画像のデータおよび基本的な情報等が含まれる。
【００６９】
表示制御部３０４は、表示部３４における各種情報の可視的な出力を制御する。該表示制御部３０４は、例えば、読出部３０１で診療情報１２１から読み出された検査リスト１２１ｂの情報に基づき、検査一覧画面ＤＬ１（図１５）を表示部３４に表示させる。また、該表示制御部３０４は、例えば、検査指定部３０２による作成対象検査の指定に応答して読出部３０１で読み出された作成対象検査に係る医用画像のデータに基づき、医用画像を表示部３４に表示させる。
【００７０】
また、表示制御部３０４は、組合せ情報群としての組合せ頻度情報１２２ｄのうちの少なくとも一部の組合せ情報に基づいて、複数の選択肢としての用語の一覧（用語一覧とも言う）を表示部３４に表示させる。該用語一覧には、例えば、第１項目に係る第１部分、第２項目に係る第２部分および第３項目に係る第３部分が含まれる。第１部分は、第１項目に係る項目名としての基本部位に対して該第１項目に属する用語が挙げられている部分である。第２部分は、第２項目に係る項目名としての基本所見に対して該第２項目に属する用語が挙げられている部分である。第３部分は、第３項目に係る項目名としての診断に対して該第３項目に属する用語が挙げられている部分である。なお、組合せ頻度情報１２２ｄのうちの一部の組合せ情報は、情報抽出部３０９によって適宜抽出され得る。
【００７１】
位置指定部３０５は、ユーザーによる操作部３３の操作に応じて、表示部３４に表示されている医用画像上における注目位置を指定する。注目位置としては、例えば、医師が医用画像上において異常な影等の存在を認めた位置等が挙げられる。そして、注目位置の指定は、例えば、医用画像上の任意の位置にマウスポインターが合わせられて、マウスの左ボタンが２回連続して押下されるダブルクリックが行われることで、実行される構成等が考えられる。
【００７２】
部位認識部３０６は、位置指定部３０５で指定された注目位置に対応する第１項目としての基本部位に属する２以上の用語を基本部位に係る用語の候補として認識する処理（部位認識処理とも言う）を行う。部位認識処理では、医用画像における注目位置の位置を示す情報（位置情報とも言う）が、体内モデルにおける位置情報に変換され、該体内モデルにおける位置情報に対応する第１項目としての基本部位に属する２以上の用語が、位置対応情報１２２ａから抽出される。これにより、体内の３次元の構造に応じた部位が容易に認識され得る。
【００７３】
ここでは、２次元の医用画像で捉えられた撮影対象物は体内の３次元の構造物であるため、２次元の医用画像で指定された注目位置には、医用画像の奥行き方向に２以上の部位が存在し得る。そこで、本実施形態では、指定された注目位置に対応する２以上の基本部位の名称を示す用語が、基本部位に係る用語の候補として認識される。
【００７４】
記憶制御部３０７は、位置指定部３０５で医用画像において指定された注目位置の医用画像における位置情報を記憶部１２に記憶させる。このとき、位置情報は、例えば、記憶部１２の診療情報１２１における作成対象検査に係る情報内に記憶される。位置情報としては、例えば、医用画像の画素を特定するアドレスおよび座標等が採用され得る。
【００７５】
また、このとき、例えば、表示制御部３０４は、記憶部１２に記憶されている注目位置の医用画像における位置情報に基づいて、表示部３４において注目位置を周囲の部分とは区別可能な態様で医用画像上に表示させる。例えば、予め設定されたマーカーによって注目位置が示される態様が考えられる。マーカーとしては、例えば、注目位置を囲む枠および注目位置を指し示す矢印等が考えられる。このように、医用画像上において、注目位置が区別可能な態様で表示されることで、注目位置の参照が容易となる。このため、診断結果レポートの的確な作成が可能となる。
【００７６】
部位指定部３０８は、ユーザーによる操作部３３の操作に応じて、部位認識部３０６で認識された用語の候補としての２以上の用語のうちの１つの用語を指定する。
【００７７】
情報抽出部３０９は、部位指定部３０８で指定された基本部位に係る１つの用語に対応する情報を、支援情報１２２に格納されている組合せ情報群としての組合せ頻度情報１２２ｄから抽出する。
【００７８】
関連認識部３１０は、部位指定部３０８による１つの用語の指定に応答して、組合せ頻度情報１２２ｄのうちの、部位指定部３０８で指定された１つの用語に対応する用語の１以上の組合せを認識する。このとき、例えば、表示制御部３０４は、関連認識部３１０で認識された用語の１以上の組合せに基づいて、該用語の１以上の組合せに含まれ且つ第２項目としての基本所見に属する１以上の用語を他の用語とは区別可能な態様で表示部３４に表示させる。
【００７９】
具体的には、例えば、表示制御部３０４によって、用語一覧において、関連認識部３１０で認識された用語の１以上の組合せに含まれ且つ第２項目としての基本所見に属する用語を、該基本所見に属する残余の用語とは区別可能な態様で表示させる。これにより、指定された基本部位に係る用語と関連する基本所見の用語が容易に把握され得る。その結果、診断結果レポートの作成における用語の指定が更に容易となる。
【００８０】
また、例えば、表示制御部３０４は、関連認識部３１０で認識された用語の１以上の組合せに含まれ且つ第２項目としての基本所見に属する用語を、用語一覧において、該用語の１以上の組合せにおいて出現する度合いに応じた態様で表示させても良い。ここで、出現する度合いとしては、例えば、組合せ頻度情報１２２ｄのうちの、部位指定部３０８で指定された１つの用語に対応する用語の１以上の組合せに係る頻度等が採用され得る。これにより、指定された基本部位に係る用語との関連性が高い基本所見の用語が容易に把握され得る。その結果、診断結果レポートの作成における用語の指定が更に容易となる。
【００８１】
要素指定部３１１は、ユーザーによる操作部３３の操作に応じて、表示部３４に表示されている第２項目としての基本所見に属する２以上の用語のうちの１以上の用語を指定する。また、要素指定部３１１は、ユーザーによる操作部３３の操作に応じて、表示部３４に表示されている第３項目としての診断に属する２以上の用語のうちの１以上の用語を指定する。
【００８２】
ここで、要素指定部３１１による１以上の用語の指定に応答して、関連認識部３１０は、組合せ頻度情報１２２ｄのうち、部位指定部３０８で指定された１つの用語と要素指定部３１１で指定された１以上の用語それぞれとの組に対応する用語の少なくとも１つの組合せを認識する。このとき、例えば、表示制御部３０４は、関連認識部３１０で認識された用語の少なくとも１つの組合せに基づいて、用語一覧において、該用語の少なくとも１つの組合せに含まれ且つ第３項目としての診断に属する用語を他の用語とは区別可能な態様で表示させる。
【００８３】
具体的には、例えば、表示制御部３０４によって、用語一覧において、関連認識部３１０で認識された用語の少なくとも１つの組合せに含まれ且つ第３項目としての診断に属する用語を、第３項目としての診断に属する残余の用語とは区別可能な態様で表示させる。これにより、指定された基本部位および基本所見に係る用語の組と関連する診断の用語が容易に把握され得る。その結果、診断結果レポートの作成における用語の指定が更に容易となる。
【００８４】
また、例えば、表示制御部３０４は、関連認識部３１０で認識された用語の少なくとも１つの組合せに含まれ且つ第３項目としての診断に属する用語を、用語一覧において、該用語の少なくとも１つの組合せにおいて出現する度合いに応じた態様で表示させても良い。ここで、出現する度合いとしては、例えば、組合せ頻度情報１２２ｄのうちの、部位指定部３０８で指定された１つの用語と要素指定部３１１で指定された１以上の用語それぞれとの組に対応する用語の少なくとも１つの組合せに係る頻度等が採用され得る。これにより、指定された基本部位および基本所見に係る用語の組との関連性が高い診断の用語が容易に把握され得る。その結果、診断結果レポートの作成における用語の指定が更に容易となる。
【００８５】
ここでは、例えば、各用語を示す文字の濃さ、色、大きさ、太さ、明るさおよびフォント等の変更、ならびに各用語を囲む枠内の濃さ、色および明るさ等の変更によって、用語が区別可能な態様および出現する度合いに応じた態様で表示される構成が考えられる。更に、用語についての区別可能な表示態様および出現する度合いに応じた表示態様としては、例えば、組合せ情報に応じて、項目間において用語同士が線あるいは矢印等の各種表示要素によって結びつけられる表示態様等が採用されても良い。また、用語の出現する度合いに応じた表示態様としては、例えば、該用語の出現する度合いが予め設定された値域に含まれれば、該用語の表示態様が変更される構成等が採用され得る。これにより、指定された基本部位および基本所見に係る用語の組合せとの関連性が高い診断の用語が容易に把握され得る。その結果、診断結果レポートの作成における用語の指定が更に容易となる。
【００８６】
登録指定部３１２は、ユーザーによる操作部３３の操作に応じて、診断結果レポートの登録を指定する。このとき、例えば、記憶制御部３０７によって、部位指定部３０８で指定された基本部位に係る１つの用語と、要素指定部３１１で指定された基本所見および診断それぞれに係る用語とに基づいて作成された所見文を含む診断結果レポートが記憶部１２に記憶される。診断結果レポートに係るデータは、例えば、診療情報１２１のうちの作成対象検査に係る情報として記憶部１２に記憶され得る。
【００８７】
＜(４)診断支援処理の動作フローおよび画面の遷移＞
図１２から図１４は、情報処理システム１において実行される診断支援処理の動作フローの一例を示すフローチャートである。本動作フローは、例えば、プログラム１２３を実行する制御部１１とプログラム３２１を実行する制御部３１の協働によって実現される。ここでは、診療情報１２１および支援情報１２２が予め記憶部１２に格納されており、診断結果レポートが未作成である検査について、ユーザーとしての医師が診断結果レポートを作成する一例を挙げて説明する。なお、ユーザーによる操作部３３の操作に応じて、診断支援処理が開始されることで、ステップＳ１〜Ｓ２５の処理が行われる。
【００８８】
ステップＳ１では、診療情報１２１の検査リスト１２１ｂの情報が読出部３０１によって読み出され、表示制御部３０４によって、検査リスト１２１ｂの情報に基づき、表示部３４に検査一覧画面ＤＬ１（図１５）が表示される。検査一覧画面ＤＬ１は、診断結果レポートの作成対象となる作成対象検査を指定するための画面である。図１５で示されるように、検査一覧画面ＤＬ１には、複数の検査について検査に係る情報（具体的には、患者ＩＤ、患者氏名、生年月日、年齢、性別、状態、検査ＩＤ、検査日、検査部位、モダリティーおよび画像枚数等）がそれぞれ列挙される。検査一覧画面ＤＬ１では、状態「未作成」が付された検査に係る診断結果レポートが未作成であり、医師による操作部３３の操作に応じて、作成対象検査を指定するための太枠ＣＳ１が上下に移動され得る。
【００８９】
ステップＳ２では、検査一覧画面ＤＬ１で太枠ＣＳ１が所望の検査に合わされた状態で、医師によって操作部３３の決定ボタン（エンターキー等）が押下されると、検査指定部３０２によって、太枠ＣＳ１で囲まれた検査が作成対象検査として指定される。このとき、管理部３０３によって、検査指定部３０２で指定された作成対象検査に対応する診断結果レポートの作成に係るタスクが特定される。
【００９０】
ステップＳ３では、読出部３０１によって、診療情報１２１から作成対象検査に係る各種情報が読み出される。ここで読み出される各種情報には、例えば、作成対象検査に係る医用画像のデータおよび基本的な情報等が含まれる。
【００９１】
ステップＳ４では、表示制御部３０４によって、ステップＳ３で取得された作成対象検査に係る医用画像のデータおよび基本的な情報等に基づき、医用画像を含む診断支援画面ＳＤ１（図１６から図１８）が表示部３４に表示される。診断支援画面ＳＤ１は、医師による診断結果レポートの作成を支援する画面である。
【００９２】
ここで、図１６から図１８を参照して、診断支援画面ＳＤ１について説明する。
【００９３】
図１６で示されるように、診断支援画面ＳＤ１は、主に第１〜４領域Ａｒ１〜Ａｒ４を有する。第１領域Ａｒ１には、表示画面の切り替えに係る各種ボタンが表示される。第２領域Ａｒ２には、作成対象検査に係る医用画像が表示される。第３領域Ａｒ３には、診断結果レポートの入力を支援するテンプレート（支援テンプレートとも言う）が表示される。第４領域Ａｒ４には、作成対象検査に係る記録内容が表示される。図１７は、第３領域Ａｒ３に表示される支援テンプレートの一例を示す図である。図１８は、第４領域Ａｒ４に表示される内容の一例を示す図である。
【００９４】
支援テンプレートは、表示制御部３０４によって、組合せ情報群としての組合せ頻度情報１２２ｄのうちの少なくとも一部の組合せ情報に基づいて、複数の選択肢としての用語の一覧（用語一覧）を含むものとして表示部３４に表示される。本実施形態では、少なくとも一部の組合せ情報は、組合せ情報群としての組合せ頻度情報１２２ｄのうちの、作成対象検査に係る検査部位とモダリティーとの組に応じたものである。
【００９５】
図１７には、検査部位「ＣＨＥＳＴ」とモダリティー「ＣＲ」との組に応じた支援テンプレートが例示されている。支援テンプレートでは、例えば、上部に、作成対象検査に係る検査部位とモダリティーとの組合せを示す表示要素ＰＭ１〜ＰＭ４が表示される。また、表示要素ＰＭ１〜ＰＭ４の下に、リセットボタンＲＢ１およびカテゴリーボタンＳＰ１〜ＳＰ５等が表示される。また、中央部に、選択用領域Ａ３１〜Ａ３４が表示される。更に、下部に、テキストボックスＴｂ１〜Ｔｂ４および結びリストＰＬ１〜ＰＬ４が表示される。支援テンプレートでは、例えば、医師による操作部３３の操作に応じて動作するマウスポインターＭ１によって、各種ボタンの押下ならびにカーソルの出現等が行われる。
【００９６】
カテゴリーボタンＳＰ１〜ＳＰ５は、入力対象の診断結果レポートに係るカテゴリーの用語を選択的に指定するためのボタンである。なお、例えば、用語情報１２２ｃから、作成対象検査に係る検査部位とモダリティーに対応するカテゴリーの１以上の用語が認識されることで、該１以上の用語を選択的に指定するためのボタンが示される。図１７で示される支援テンプレートでは、５つのカテゴリーボタンＳＰ１〜ＳＰ５のうちの何れか１つのボタンがマウスポインターＭ１で選択的に押下されることで、入力対象の診断結果レポートに係るカテゴリーの用語が選択的に指定される。なお、本実施形態では、例えば、カテゴリーボタンＳＰ１〜ＳＰ５のうち、現在指定されているカテゴリーのボタンが反転表示され、指定することができないカテゴリーのボタンが半透明で表示される。本実施形態では、用語情報１２２ｃのうち、作成対象検査に係る検査部位およびモダリティーの用語と、カテゴリーボタンＳＰ１〜ＳＰ５で指定されたカテゴリーの用語との組合せに対応する各項目に係る用語が、選択用領域Ａ３１〜Ａ３４に列挙され得る。
【００９７】
選択用領域Ａ３１〜Ａ３４は、支援テンプレートの中央部を占める大きな領域であり、例えば、左から右へとこの順番で順次に並べられる。具体的には、例えば、選択用領域Ａ３１には、項目「撮影条件」に係る複数の用語の選択肢（例えば、正面像、側面像、および側臥位像）が上から順に列挙される。第１部分としての選択用領域Ａ３２には、項目「基本部位」に係る複数の用語の選択肢（例えば、肺野全体、上肺野、中肺野、・・・）が上から順に列挙される。第２部分としての選択用領域Ａ３３には、項目「基本所見」に係る複数の用語の選択肢（例えば、腫瘤影、スリガラス影、濃度上昇域、・・・）が上から順に列挙される。第３部分としての選択用領域Ａ３４には、項目「診断」に係る複数の分類（感染性疾患、気道系疾患、腫瘤性疾患等）が上から順に列挙され、更に、各分類について、複数の用語の選択肢（例えば、間質性肺炎、肺炎、誤嚥性肺炎、・・・）が上から順に列挙される。つまり、選択用領域Ａ３１〜Ａ３４において、項目「撮影条件」「基本部位」「基本所見」「診断」に係る複数の用語の選択肢が、項目毎に区別可能な態様で提示される。そして、選択用領域Ａ３１〜Ａ３４には、カテゴリーボタンＳＰ１〜ＳＰ５のうちの現在指定されている１つのボタンに係るカテゴリーに対応する用語が列挙される。なお、本実施形態では、図の複雑化を避けるために、用語の一部が、例えば、「ＸＸＸＸ」等と言った省略された形態で示されている。
【００９８】
選択用領域Ａ３１では、医師による操作部３３の操作に応じて、マウスポインターＭ１によって所望の用語の選択肢が押下されると、項目「撮影条件」に対して所望の用語の選択肢が指定された状態となる。このとき、指定された用語の選択肢が他の選択肢と区別可能な態様（例えば、反転表示等）で示されるとともに、指定された用語が、項目「撮影条件」に係る用語としてテキストボックスＴｂ１に表示される。ここでは、例えば、医師が第２領域Ａｒ２に表示される医用画像を確認しながら、選択用領域Ａ３１において撮影条件に係る用語を適宜指定することができる。但し、本実施形態では、作成対象検査に係る医用画像のデータに撮影条件を示す用語が予め付与されており、第２領域Ａｒ２に表示される医用画像が決定されることで、該医用画像に付与された撮影条件に係る用語が、選択用領域Ａ３１において自動的に指定される。
【００９９】
選択用領域Ａ３２では、医師による操作部３３の操作に応じて、項目「基本部位」に対して所望の用語の選択肢が指定された状態となる。このとき、指定された用語の選択肢が他の選択肢と区別可能な態様（例えば、反転表示等）で示されるとともに、指定された用語が、項目「基本部位」に係る用語としてテキストボックスＴｂ２に表示される。項目「基本部位」に係る用語の指定については、例えば、後述する部位認識処理等によって、第２領域Ａｒ２に表示されている医用画像上において注目位置が指定されることで、項目「基本部位」に係る用語の候補が自動的に認識される。これにより、項目「基本部位」に係る用語の選択肢が絞り込まれるため、項目「基本部位」に係る用語の指定が容易となる。なお、例えば、指定された用語の選択肢の左に設けられた「Ｌ」「Ｂ」「Ｒ」の何れかがマウスポインターＭ１によって押下されることで、テキストボックスＴｂ２内に表示される用語に接頭語「左」「両」「右」等が適宜付与される構成が採用されも良い。
【０１００】
選択用領域Ａ３３では、医師による操作部３３の操作に応じて、マウスポインターＭ１によって所望の用語の選択肢が押下されると、項目「基本所見」に対して所望の用語の選択肢が指定された状態となる。このとき、指定された用語の選択肢が他の選択肢と区別可能な態様（例えば、反転表示等）で示されるとともに、指定された用語が、項目「基本所見」に係る用語としてテキストボックスＴｂ３に表示される。
【０１０１】
選択用領域Ａ３４では、医師による操作部３３の操作に応じて、マウスポインターＭ１によって所望の用語の選択肢が押下されると、項目「診断」に対して所望の用語の選択肢が指定された状態となる。このとき、指定された用語の選択肢が他の選択肢と区別可能な態様（例えば、反転表示等）で示されるとともに、指定された用語が、項目「診断」に係る用語としてテキストボックスＴｂ４に表示される。
【０１０２】
また、選択用領域Ａ３１〜Ａ３４には、各用語の選択肢の右に詳細指定ボタンＰＳが設けられている。詳細指定ボタンＰＳがマウスポインターＭ１で押下されると、指定された用語を修飾する詳細要素の入力が可能なウインドウ（詳細ウインドウとも言う）ＯＷ１（図２８）が、支援テンプレート上に重畳するように表示される。詳細要素は、例えば、修飾語、接頭語および接尾語等の用語を含む。
【０１０３】
このような支援テンプレートによって、医師は、診断支援画面ＳＤ１の第２領域Ａｒ２に表示される作成対象検査に係る医用画像を参照しつつ、各選択用領域Ａ３１〜Ａ３４において用語の選択肢を指定することで、所見文を容易に作成することができる。例えば、４項目（撮影条件、基本部位、基本所見、診断）について、用語「正面像」「肺野全体」「スリガラス影」「肺炎」が指定されると、「正面像にて、肺野全体に、スリガラス影を認める。肺炎を疑う。」等と言った所見文が作成され得る。なお、例えば、特定の項目（例えば、基本所見等）については、２以上の用語の選択肢が指定されて、所見文が生成されても良い。具体的には、例えば、４項目（撮影条件、基本部位、基本所見、診断）について、用語「正面像」「肺野全体」「スリガラス影」「結節影」「肺炎」が指定されると、「正面像にて、肺野全体に、スリガラス影および結節影を認める。肺炎を疑う。」と言った所見文が作成される。
【０１０４】
ところで、一般的に、医師によってＣＲ装置で得られた胸部正面像が参照されつつ診断が行われる際には、カテゴリーボタンＳＰ１〜ＳＰ５の表示順に従って、「肺」「縦隔」「骨」「軟部」「胸膜（辺縁）」の順に、異常な影が存在しているか否かが確認される。但し、２次元の医用画像において３次元の構造が捉えられており、専門医によれば、影の重なり等によって３次元の構造がイメージされながら異常な影の「基本部位」が特定され得るが、一般の医師によれば、「基本部位」が正確に特定され難い場合がある。そこで、本実施形態では、医用画像上において、医師によって異常な影が認められた位置が指定されると、指定された位置に含まれ得る「基本部位」に係る用語の候補が認識および提示される。これにより、画像診断において異常が認められる位置の誤認および見逃し等が生じ難くなり、より確度の高い画像診断が可能となる。
【０１０５】
ステップＳ５では、部位認識部３０６によって、表示部３４に表示されている医用画像に対して診断の対象（診断対象とも言う）となる解剖学的領域としての診断領域ｒ０が設定される。
【０１０６】
診断領域ｒ０は、作成対象検査に係る医用画像について診断を行う上で必要である領域を網羅する位置および範囲に設定される。本実施形態では、例えば、診断支援画面ＳＤ１（図１６）上の医用画像としての胸部正面像に対して、該胸部正面像について診断を行う上で最も重要である肺野および縦隔を含む胸郭の領域（胸郭領域とも言う）が診断領域ｒ０（図１９）として設定される。
【０１０７】
図１９は、医用画像に診断領域ｒ０を設定する方法について説明するための図である。診断領域ｒ０は、例えば、次のような方法によって設定され得る。なお、ここでは、医用画像のうち、左上の点が原点とされて、右方向がＸ方向とされ、下方向がＹ方向とされているものとする。
【０１０８】
まず、医用画像の上下部を除く照射野Ｆ１に対応する領域について、Ｘ座標と各Ｘ座標における濃淡値の累積値（累積濃淡値とも言う）との関係が、Ｘ方向のプロファイルｐｒｊ（Ｘ）として求められる。ここで、ｐｒｊ（Ｘ）のうちのＸ方向に３等分した中央の１／３の範囲において累積濃淡値が最小となっているＸ座標が、正中線（ＸＣ）のＸ座標とされる。また、ｐｒｊ（Ｘ）のうちのＸ方向に３等分した左側の１／３の範囲において、医用画像の左端に向かって、ｐｒｊ（Ｘ）が、極大となる位置よりも左端に近い領域で、予め設定された閾値ＴＲ以下に初めて至るＸ座標が胸郭領域の右端部ＸＲとされる。一方、ｐｒｊ（Ｘ）のうちのＸ方向に３等分した右側の１／３の範囲において、医用画像の右端に向かって、ｐｒｊ（Ｘ）が、極大となる位置よりも右端に近い領域で、予め設定された閾値ＴＬ以下に初めて至るＸ座標が胸郭領域の左端部ＸＬとされる。
【０１０９】
次に、医用画像のうちの右端部ＸＲと左端部ＸＬとの間の照射野Ｆ１に対応する領域について、Ｙ座標と各Ｙ座標における濃淡値の累積値（累積濃淡値）との関係が、Ｙ方向のプロファイルｐｒｊ（Ｙ）として求められる。ここで、ｐｒｊ（Ｙ）のうちのＹ方向に４等分した最も上側の１／４の範囲において、医用画像の上端に向かって、ｐｒｊ（Ｙ）が、極大となる位置よりも上端に近い領域で、予め設定された閾値ＴＴ以下に初めて至るＹ座標が胸郭領域の上端部ＹＴとされる。一方、ｐｒｊ（Ｙ）のうちのＹ方向に４等分した下側の２つ分（１／２）の範囲において、医用画像の下端に向かって、ｐｒｊ（Ｙ）が、予め設定された閾値ＴＢ以下に初めて至るＹ座標が胸郭領域の下端部ＹＢとされる。
【０１１０】
このようにして求められた上端、下端、左端および右端によって規定される胸郭領域が診断領域ｒ０として設定される。また、診断領域ｒ０の左上端の点ｒ１の座標（ｘｉ１，ｙｉ１）および右下端の点ｒ２の座標（ｘｉ２，ｙｉ２）が設定される。
【０１１１】
なお、本実施形態では、上述したように、部位認識部３０６によって抽出された胸郭領域が診断領域ｒ０として設定されたが、これに限られない。例えば、ユーザーである医師によって、表示部３４に表示された医用画像に対して手動で任意の診断領域ｒ０（胸郭領域）が指定される構成が採用されても良い。また、診断領域ｒ０は、胸郭領域に限定されず、例えば、ユーザーとしての医師によって任意に設定されても良い。
【０１１２】
ステップＳ６では、医師による操作部３３の操作に応答して、位置指定部３０５によって、医用画像上において注目位置が指定される。図２０は、支援テンプレートの第２領域Ａｒ２に表示される医用画像上において注目位置が指定される様子を例示する図である。本実施形態では、マウスポインターＭ１が医用画像上の所望の位置に合わされて、マウスの左ボタンが２回連続して押下されるダブルクリックが行われることで、注目位置が指定される。このとき、記憶制御部３０７によって、位置指定部３０５で指定された医用画像上の注目位置を示す位置情報が記憶部１２に記憶される。そして、該位置情報に基づき、表示制御部３０４によって、表示部３４において注目位置を周囲の部分とは区別可能な態様で医用画像上に表示させる。図２０では、円形の枠Ｐ１によって注目位置が囲まれることで、医用画像において注目位置が周囲の部分とは区別可能な態様で表示される。
【０１１３】
ステップＳ７では、部位認識部３０６によって、ステップＳ６で指定された注目位置に対応する基本部位に係る用語の候補が認識される。ここでは、例えば、医用画像で指定された注目位置に対応する、体内モデルにおける位置が求められる第１処理、および該第１処理で求められた体内モデルにおける位置に基づいて基本部位に係る２以上の用語が用語の候補として認識される第２処理が行われる。
【０１１４】
図２１および図２２は、ステップＳ７の第１処理について説明するための図である。
【０１１５】
図２１には、表示部３４に表示された医用画像、上記ステップＳ４において該医用画像に対して設定された診断領域ｒ０、およびステップＳ６において注目位置として指定された点Ｐ１の座標（ｘｉ，ｙｉ）が示されている。一方、図２２には、位置対応情報１２２ａの体内モデル、該体内モデルに対して予め設定されている基準領域Ｒ０、および注目位置に対応する点ｐ１の座標（ｘｍ，ｙｍ）が示されている。
【０１１６】
第１処理では、部位認識部３０６によって、下式（１）および（２）に従い、医用画像の診断領域ｒ０と、体内モデルの基準領域Ｒ０とが対応付けられる。
【０１１７】
（ｘｉ−ｘｉ１）／（ｘｉ２−ｘｉ１）＝（ｘｍ−ｘｍ１）／（ｘｍ２−ｘｍ１）・・・（１）
（ｙｉ−ｙｉ１）／（ｙｉ２−ｙｉ１）＝（ｙｍ−ｙｍ１）／（ｙｍ２−ｙｍ１）・・・（２）。
【０１１８】
そして、第１処理では、部位認識部３０６によって、下式（３）および（４）に従い、医用画像における注目位置としての点Ｐ１の座標（ｘｉ，ｙｉ）が、体内モデルの注目位置としての点ｐ１の座標（ｘｍ，ｙｍ）に変換され得る。
【０１１９】
ｘｍ＝（ｘｉ−ｘｉ１）／（ｘｉ２−ｘｉ１）×（ｘｍ２−ｘｍ１）＋ｘｍ１・・・（３）
ｙｍ＝（ｙｉ−ｙｉ１）／（ｙｉ２−ｙｉ１）×（ｙｍ２−ｙｍ１）＋ｙｍ１・・・（４）。
【０１２０】
図２３から図２５は、ステップＳ７の第２処理について説明するための図である。
【０１２１】
第２処理では、部位認識部３０６によって、第１処理で求められた体内モデルにおける注目位置の位置情報（点ｐ１の座標（ｘｍ，ｙｍ））と、解剖学的区分としての基本部位に係る用語毎の体内モデルにおける所定領域（例えば、領域Ａ１〜Ａ３）とが比較される。これにより、２以上の基本部位に係る用語が認識され得る。
【０１２２】
図２３には、体内モデルにおける解剖学的区分としての中肺野に係る領域Ａ１と注目位置の位置情報（点ｐ１の座標（ｘｍ，ｙｍ））との位置関係が示されている。図２４には、体内モデルにおける解剖学的区分としての肺門部に係る領域Ａ２と注目位置の位置情報（点ｐ１の座標（ｘｍ，ｙｍ））との位置関係が示されている。図２５には、体内モデルにおける解剖学的区分としての肋骨に係る領域Ａ３と注目位置の位置情報（点ｐ１の座標（ｘｍ，ｙｍ））との位置関係が示されている。
【０１２３】
図２３から図２５の例では、中肺野の領域Ａ１、肺門部の領域Ａ２および肋骨の領域Ａ３と、点ｐ１とがそれぞれ重なっている。
【０１２４】
このように、第２処理では、解剖学的区分としての基本部位に係る用語毎に、点ｐ１と、用語毎の体内モデルにおける所定領域とが重なるか否か判定される。このとき、例えば、点ｐ１と所定領域とが重なる場合には「１：表示」のフラグが立てられ、点ｐ１と所定領域とが重ならない場合には「０：非表示」のフラグが立てられる。そして、「１：表示」のフラグが立てられた基本部位に係る用語が、基本部位に係る用語の候補として認識される。図２３から図２５の例では、中肺野、肺門部および肋骨に対して「１：表示」のフラグが立てられている。このため、「中肺野」、「肺門部」および「肋骨」が、基本部位に係る用語の候補として認識される。
【０１２５】
また、部位認識部３０６では、「１：表示」のフラグが立てられた基本部位に係る用語の候補に対し、体内モデルの左右方向の中心Ｃ０が基準とされて、点ｐ１の位置が体内モデルの左右の何れの領域に位置しているのかが判定される。この判定の結果に応じて、「１：表示」のフラグが立てられた基本部位に係る用語の候補に対し、「左」または「右」に係る語句が付け加えられる。図２３から図２５の例では、点ｐは中心Ｃ０よりも左側に位置するため、「１：表示」のフラグが立てられた基本部位に係る用語の候補に対し、「左」に係る語句がそれぞれ付け加えられる。例えば、中肺野、肺門部および肋骨に、「左」に係る語句がそれぞれ付け加えられることで、左中肺野、左肺門部および左側肋骨と言った用語が生成され得る。
【０１２６】
なお、本実施形態では、上述したように、「１：表示」または「０：非表示」のフラグが立てられた後に、認識された用語の候補に対して左右に係る語句が付け加えられる処理が実行されたが、これに限られない。例えば、予め左右の語句が付与された解剖学的区分としての基本部位に係る用語が準備されていても良い。
【０１２７】
ステップＳ８では、部位指定部３０８によって、ステップＳ７で認識された項目「基本部位」に係る用語の候補としての２以上の用語のうちの１つの用語が指定される。ここでは、ステップＳ７で認識された項目「基本部位」に係る２以上の用語のうち、優先度が相対的に高い用語が初期状態における用語「基本部位」に係る用語として指定される。具体的には、例えば、部位指定部３０８によって、優先度情報１２２ｂが参照され、ステップＳ７で認識された項目「基本部位」に係る２以上の用語のうちで最も高い優先度数が対応付けられた用語が指定される。例えば、項目「基本部位」に係る用語の候補としての２以上の用語が、中肺野、肺門部および肋骨である場合には、図６で示される優先度情報１２２ｂにおいて最も高い優先度数が対応付けられている中肺野が指定される。
【０１２８】
ステップＳ９では、情報抽出部３０９によって、ステップＳ８で指定された項目「基本部位」に係る用語に対応する情報が、支援情報１２２に格納されている組合せ情報群としての組合せ頻度情報１２２ｄから抽出される。このとき、例えば、ステップＳ８で「中肺野」が指定されていれば、組合せ頻度情報１２２ｄから中肺野に係る１以上の組合せ情報ならびに該１以上の組合せ情報の頻度を示す情報が抽出される。
【０１２９】
ステップＳ１０では、表示制御部３０４によって、ステップＳ９で抽出された１以上の組合せ情報ならびに該１以上の組合せ情報の頻度を示す情報に基づいて、支援テンプレートが表示される。該支援テンプレートでは、組合せ頻度情報１２２ｄのうちのステップＳ９で抽出された１以上の組合せ情報に基づいて、複数の選択肢としての用語が挙げられた用語一覧が表示される。
【０１３０】
図２６は、支援テンプレートの一例を示す図である。図２６で示されるように、本実施形態では、ステップＳ８で指定された基本部位の用語が、選択用領域Ａ３２において自動的に指定される。図２６の例では、項目「基本部位」に対して用語「左中肺野」が指定されている様子が示されている。
【０１３１】
また、ステップＳ１０では、表示制御部３０４によって、用語一覧において、ステップＳ９で抽出された１以上の組合せ情報に含まれる項目「基本所見」に属する用語が、項目「基本所見」に属する残余の用語とは区別可能な態様で表示される。ここでは、例えば、関連認識部３１０によって、組合せ頻度情報１２２ｄのうち、ステップＳ８で指定された１つの用語に対応する用語の１以上の組合せが認識される。そして、例えば、表示制御部３０４によって、関連認識部３１０で認識された用語の１以上の組合せに基づき、用語一覧において、該１以上の組合せ情報に含まれる項目「基本所見」に属する用語が、項目「基本所見」に属する残余の用語とは区別可能な態様で表示される。
【０１３２】
例えば、図２６の例では、選択用領域Ａ３３において、項目「基本部位」に係る用語「左中肺野」に関連する項目「基本所見」に係る用語の候補が、ハッチングが付された表示要素によって示されている。これにより、指定された項目「基本部位」に係る用語と関連する項目「基本所見」の用語が容易に把握され得る。その結果、診断結果レポートの作成における用語の指定が更に容易となる。
【０１３３】
また、ステップＳ１０では、表示制御部３０４によって、用語一覧において、ステップＳ９で抽出された１以上の組合せ情報に含まれる項目「基本所見」に属する用語が、該１以上の組合せ情報の頻度を示す情報に応じた態様で表示される。ここでは、例えば、関連認識部３１０によって、組合せ頻度情報１２２ｄのうち、ステップＳ８で指定された１つの用語に対応する用語の１以上の組合せが認識される。そして、例えば、表示制御部３０４によって、関連認識部３１０で認識された用語の１以上の組合せに含まれ且つ第２項目としての基本所見に属する用語が、用語一覧において、該用語の１以上の組合せにおいて出現する度合いに応じた態様で表示される。
【０１３４】
図２６の例では、用語一覧において表示される項目「基本所見」に属する用語の表示要素に付されたハッチングの濃さが、ステップＳ９で抽出された１以上の組合せ情報において該用語が出現する度合いに応じて濃くなっている。これにより、指定された項目「基本部位」に係る用語との関連性が高い項目「基本所見」の用語が容易に把握され得る。その結果、診断結果レポートの作成における用語の指定が更に容易となる。
【０１３５】
なお、選択用領域Ａ３１〜Ａ３４には、各用語の選択肢の右に詳細指定ボタンＰＳが設けられている。詳細指定ボタンＰＳがマウスポインターＭ１で押下されると、指定された用語を修飾する詳細要素（修飾語、接頭語および接尾語等）の入力が可能な詳細ウインドウＯＷ１が、支援テンプレート上に重畳するように表示される。
【０１３６】
図２７は、項目「基本所見」に係る詳細ウインドウＯＷ１の一例を示す図である。詳細ウインドウＯＷ１では、上部に、詳細要素が付加される対象としての用語（付加対象用語とも言う）ＣＷ１（例えば、結節影）が示され、その下に、付与する詳細要素の候補（＊ｃｍ×＊ｃｍ大の、小さな、denseな、・・・）が列挙される。また、マウスポインターＭ１によって、各詳細要素の候補の左に設けられたチェックボックスＣＢ１にチェックが入れられ、付加ボタンＡＤ１が押下されると、チェックが付された詳細要素が付加対象用語ＣＷ１に付加された用語が領域Ａ１１に表示される。また、詳細ウインドウＯＷ１の下部には、ＯＫボタンＢ１１とキャンセルボタンＢ１２が設けられている。マウスポインターＭ１によってキャンセルボタンＢ１２が押下されると、詳細ウインドウＯＷ１の表示が単純に終了する。一方、マウスポインターＭ１によってＯＫボタンＢ１１が押下されると、領域Ａ１１に表示されている用語が採用されて、詳細ウインドウＯＷ１の表示が終了する。例えば、領域Ａ１１に、項目「結節影」に修飾語「小さな」が付加された用語「小さな結節影」が表示されている場合には、ＯＫボタンＢ１１の押下に応答して、用語「小さな結節影」が項目「基本所見」に係る用語としてテキストボックスＴｂ３に表示される。
【０１３７】
図１３のステップＳ１１では、制御部１１，３１によって、支援テンプレート等における、医師による操作部３３の操作に応じた入力が受け付けられる。ここでは、例えば、操作部３３の操作に応じた、カテゴリーボタンＳＰ１〜ＳＰ５の押下によるカテゴリーの変更、および要素指定部３１１による項目「基本所見」に属する用語の指定等に係る入力が受け付けられる。
【０１３８】
ステップＳ１２では、部位指定部３０８によって、支援テンプレートにおいてカテゴリーを変更する指示があったか否かが判定される。ここで、カテゴリーを変更する指示がなければ、ステップＳ１３に進み、カテゴリーを変更する指示があれば、図１４のステップＳ２３に進む。
【０１３９】
ステップＳ１３では、要素指定部３１１によって、支援テンプレートの選択用領域Ａ３３において項目「基本所見」に係る用語が指定されたか否かが判定される。ここで、項目「基本所見」に係る用語が指定されていなければ、ステップＳ１１に戻り、項目「基本所見」に係る用語が指定されれば、ステップＳ１４に進む。
【０１４０】
ステップＳ１４では、表示制御部３０４によって、用語一覧において、ステップＳ１１で指定された項目「基本所見」に属する用語に応じて、項目「診断」に属する用語の表示態様が変更される。ここでは、例えば、関連認識部３１０によって、組合せ頻度情報１２２ｄのうち、部位指定部３０８で指定された１つの用語と要素指定部３１１で指定された１以上の用語それぞれとの組に対応する用語の少なくとも１つの組合せが認識される。そして、例えば、表示制御部３０４によって、関連認識部３１０で認識された用語の少なくとも１つの組合せに基づき、用語一覧において、該用語の少なくとも１つの組合せに含まれ且つ項目「診断」に属する用語が他の用語とは区別可能な態様で表示される。具体的には、例えば、表示制御部３０４によって、用語一覧において、関連認識部３１０で認識された用語の少なくとも１つの組合せに含まれ且つ項目「診断」に属する用語が、項目「診断」に属する残余の用語とは区別可能な態様で表示される。
【０１４１】
図２８は、支援テンプレートの一例を示す図である。例えば、図２８の例では、選択用領域Ａ３４において、項目「基本部位」に係る用語「左中肺野」と項目「基本所見」に係る用語「結節影」との組に関連する項目「診断」に係る用語の候補が、ハッチングが付された表示要素によって示されている。これにより、指定された項目「基本部位」および「基本所見」に係る用語の組と関連する項目「診断」の用語が容易に把握され得る。その結果、診断結果レポートの作成における用語の指定が更に容易となる。
【０１４２】
また、本ステップでは、表示制御部３０４によって、用語一覧において、関連認識部３１０で認識された用語の少なくとも１つの組合せに含まれ且つ項目「診断」に属する用語が、該用語の少なくとも１つの組合せにおいて出現する度合いに応じた態様で表示される。つまり、項目「診断」に属する用語が、組合せ頻度情報１２２ｄのうち、指定された項目「基本部位」に係る１つの用語と項目「基本所見」に係る１以上の用語それぞれとの組に対応する用語の少なくとも１つの組合せにおいて出現する度合いに応じた態様で表示される。
【０１４３】
図２８の例では、図２６の例と同様に、用語一覧において表示される項目「診断」に属する用語の表示要素に付されたハッチングの濃さが、関連認識部３１０で認識された用語の少なくとも１つの組合せにおいて用語が出現する度合いに応じて濃くなっている。これにより、指定された項目「基本部位」および「基本所見」に係る用語の組との関連性が高い項目「診断」の用語が容易に把握され得る。その結果、診断結果レポートの作成における用語の指定が更に容易となる。
【０１４４】
ステップＳ１５では、制御部１１，３１によって、支援テンプレート等における、医師による操作部３３の操作に応じた入力が受け付けられる。ここでは、例えば、操作部３３の操作に応じた、リセットボタンＲＢ１の押下による用語の指定の解除、カテゴリーボタンＳＰ１〜ＳＰ５の押下によるカテゴリーの変更、および要素指定部３１１による項目「診断」に属する用語の指定等に係る入力が受け付けられる。
【０１４５】
ステップＳ１６では、制御部１１，３１によって、マウスポインターＭ１によるリセットボタンＲＢ１の押下によって用語の指定を解除する指示があったかが否か判定される。ここで、用語の指定を解除する指示がなければ、ステップＳ１７に進み、用語の指定を解除する指示があれば、項目「基本所見」に対して指定された用語が解除されて、ステップＳ１１に戻る。
【０１４６】
ステップＳ１７では、上記ステップＳ１２と同様な判定が行われる。ここで、カテゴリーを変更する指示がなければ、ステップＳ１８に進み、カテゴリーを変更する指示があれば、図１４のステップＳ２３に進む。
【０１４７】
ステップＳ１８では、要素指定部３１１によって、支援テンプレートの選択用領域Ａ３４において項目「診断」に係る用語が指定されたか否かが判定される。ここで、項目「診断」に係る用語が指定されていなければ、ステップＳ１５に戻り、項目「診断」に係る用語が指定されていれば、ステップＳ１９に進む。ステップＳ１９に進む際には、テキストボックスＴｂ１〜Ｔｂ４の全てに用語が表示されている状態にある。このとき、例えば、テキストボックスＴｂ１〜Ｔｂ４に記入された用語と結びリストＰＬ１〜ＰＬ４で指定された結び言葉とに基づいて所見文が生成され、診断支援画面ＳＤ１の第４領域Ａｒ４におけるコメント表示領域Ａｒ２１（図１８）に自動的に記入される。なお、例えば、支援テンプレートに設けられた入力ボタンの押下に応答して、所見文が生成され、該所見文が、診断支援画面ＳＤ１の第４領域Ａｒ４におけるコメント表示領域Ａｒ２１に記入される構成が採用されても良い。
【０１４８】
ステップＳ１９では、制御部１１，３１によって、支援テンプレート等における、医師による操作部３３の操作に応じた入力が受け付けられる。ここでは、例えば、操作部３３の操作に応じた、リセットボタンＲＢ１の押下による用語の指定の解除、および確定ボタンＦＢ１の押下による診断結果レポートの登録等に係る入力が受け付けられる。
【０１４９】
ステップＳ２０では、上記ステップＳ１６と同様な判定が行われる。ここで、用語の指定を解除する指示がなければ、ステップＳ２１に進み、用語の指定を解除する指示があれば、項目「基本所見」および「診断」に対してそれぞれ指定された用語が解除されて、ステップＳ１１に戻る。なお、ここでは、例えば、用語の指定を解除する指示があった場合に、項目「診断」に対して指定された用語のみが解除されて、ステップＳ１５に戻る構成が採用されても良い。
【０１５０】
ステップＳ２１では、登録指定部３１２によって、マウスポインターＭ１による確定ボタンＦＢ１の押下によって診断結果レポートを登録する指示があったか否かが判定される。ここで、診断結果レポートを登録する指示がなければ、ステップＳ１９に戻り、診断結果レポートを登録する指示があれば、ステップＳ２２に進む。
【０１５１】
ステップＳ２２では、記憶制御部３０７によって、項目「基本部位」に対して指定された１つの用語と、項目「基本所見」および「診断」に対してそれぞれ指定された用語とに基づいて作成された所見文を含む診断結果レポートが診療情報１２１に記憶される。具体的には、例えば、診断支援画面ＳＤ１の第４領域Ａｒ４におけるコメント表示領域Ａｒ２１に記入された所見文が、診療情報１２１に記憶される。
【０１５２】
図１４のステップＳ２３では、部位指定部３０８によって、カテゴリーボタンＳＰ１〜ＳＰ５の押下に応答したカテゴリーの変更に応じて、部位指定部３０８によって、変更後のカテゴリーに対応する項目「基本部位」に係る用語が指定される。ここでは、例えば、カテゴリー「肺」あるいは「骨」が指定されている状態で、カテゴリーボタンＳＰ２が押下されると、入力対象の診断結果レポートに係るカテゴリーの用語が「肺」あるいは「骨」から「縦隔」へ変更される。このとき、部位指定部３０８によって、ステップＳ７で認識された基本部位に係る用語の候補としての２以上の用語のうちの、変更後のカテゴリーに対応する１つの用語が指定される。
【０１５３】
ここで、具体例として、ステップＳ７で認識された項目「基本部位」に係る用語の候補が、カテゴリー「肺」に対応する用語「中肺野」、カテゴリー「縦隔」に係る用語「肺門部」およびカテゴリー「骨」に係る用語「肋骨」である例について説明する。例えば、入力対象の診断結果レポートに係るカテゴリーの用語が「肺」または「骨」から「縦隔」へ変更されると、カテゴリー「縦隔」に対応する用語「肺門部」が部位指定部３０８によって指定される。また、例えば、入力対象の診断結果レポートに係るカテゴリーの用語が「肺」または「縦隔」から「骨」へ変更されると、カテゴリー「骨」に対応する用語「肋骨」が部位指定部３０８によって指定される。また、例えば、入力対象の診断結果レポートに係るカテゴリーの用語が「縦隔」または「骨」から「肺」へ変更されると、カテゴリー「肺」に対応する用語「中肺野」が部位指定部３０８によって指定される。
【０１５４】
ステップＳ２４では、情報抽出部３０９によって、ステップＳ２３で指定された項目「基本部位」に係る用語に対応する情報が、支援情報１２２に格納されている組合せ情報群としての組合せ頻度情報１２２ｄから抽出される。このとき、例えば、ステップＳ２３で「縦隔」が指定されていれば、組合せ頻度情報１２２ｄから「縦隔」に係る１以上の組合せ情報ならびに該１以上の組合せ情報の頻度を示す情報が抽出される。また、例えば、ステップＳ２３で「骨」が指定されていれば、組合せ頻度情報１２２ｄから「骨」に係る１以上の組合せ情報ならびに該１以上の組合せ情報の頻度を示す情報が抽出される。また、例えば、ステップＳ２３で「肺」が指定されていれば、組合せ頻度情報１２２ｄから「肺」に係る１以上の組合せ情報ならびに該１以上の組合せ情報の頻度を示す情報が抽出される。
【０１５５】
ステップＳ２５では、表示制御部３０４によって、ステップＳ２４で抽出された１以上の組合せ情報ならびに該１以上の組合せ情報の頻度を示す情報に基づいて、支援テンプレートが表示される。該支援テンプレートでは、組合せ頻度情報１２２ｄのうちのステップＳ２４で抽出された１以上の組合せ情報に基づいて、複数の選択肢としての用語が挙げられた用語一覧が表示される。
【０１５６】
図２９は、ステップＳ２３において、カテゴリーの用語が「縦隔」へと変更され、項目「基本部位」に係る用語「肺門部」が認識された場合における支援テンプレートの一例を示す図である。図２９で示されるように、ステップＳ２３で指定された項目「基本部位」に係る用語「肺門部」に「左」が付加された「左肺門部」が、項目「基本部位」に係る用語として選択用領域Ａ３２において自動的に指定されている様子が示されている。また、図３０は、ステップＳ２３において、カテゴリーの用語が「骨」へと変更され、項目「基本部位」に係る用語「肋骨」が認識された場合における支援テンプレートの一例を示す図である。図３０で示されるように、ステップＳ２３で指定された項目「基本部位」に係る用語「肋骨」に「左側」が付加された「左側肋骨」が、項目「基本部位」に係る用語として、選択用領域Ａ３２において自動的に指定されている様子が示されている。
【０１５７】
また、ステップＳ２５では、表示制御部３０４によって、用語一覧において、ステップＳ２４で抽出された１以上の組合せ情報に含まれる項目「基本所見」に属する用語が、項目「基本所見」に属する残余の用語とは区別可能な態様で表示される。ここでは、例えば、関連認識部３１０によって、組合せ頻度情報１２２ｄのうち、ステップＳ２３で指定された１つの用語に対応する用語の１以上の組合せが認識される。そして、例えば、表示制御部３０４によって、関連認識部３１０で認識された用語の１以上の組合せに基づき、用語一覧において、該１以上の組合せ情報に含まれる項目「基本所見」に属する用語が、項目「基本所見」に属する残余の用語とは区別可能な態様で表示される。
【０１５８】
例えば、図２９の例では、選択用領域Ａ３３において、項目「基本部位」に係る用語「左肺門部」に関連する項目「基本所見」に係る用語の候補が、ハッチングが付された表示要素によって示されている。また、例えば、図３０の例では、選択用領域Ａ３３において、項目「基本部位」に係る用語「左側肋骨」に関連する項目「基本所見」に係る用語の候補が、ハッチングが付された表示要素によって示されている。これにより、指定された項目「基本部位」に係る用語と関連する項目「基本所見」の用語が容易に把握され得るため、診断結果レポートの作成における用語の指定が更に容易となる。
【０１５９】
また、ステップＳ２５では、表示制御部３０４によって、用語一覧において、ステップＳ２４で抽出された１以上の組合せ情報に含まれる項目「基本所見」に属する用語が、該１以上の組合せ情報の頻度を示す情報に応じた態様で表示される。ここでは、例えば、関連認識部３１０によって、組合せ頻度情報１２２ｄのうち、ステップＳ２３で指定された１つの用語に対応する用語の１以上の組合せが認識される。そして、例えば、表示制御部３０４によって、関連認識部３１０で認識された用語の１以上の組合せに含まれ且つ第２項目としての基本所見に属する用語が、用語一覧において、該用語の１以上の組合せにおいて出現する度合いに応じた態様で表示される。
【０１６０】
図２９および図３０の例では、図２６の例と同様に、用語一覧において表示される項目「基本所見」に属する用語の表示要素に付されたハッチングの濃さが、ステップＳ２４で抽出された１以上の組合せ情報において該用語が出現する度合いに応じて濃くなっている。これにより、指定された項目「基本部位」に係る用語との関連性が高い項目「基本所見」の用語が容易に把握され得る。その結果、診断結果レポートの作成における用語の指定が更に容易となる。
【０１６１】
そして、ステップＳ２５の処理が行われた後に、図１３のステップＳ１１に進み、上記ステップＳ１１〜Ｓ２５と同様な処理が行われる。
【０１６２】
なお、図３１は、図２９の例で示される支援テンプレートにおいて、項目「基本所見」に対して用語「拡大」が指定された状態を例示する図である。また、図３２は、図３０の例で示される支援テンプレートにおいて、項目「基本所見」に対して用語「硬化像」が指定された状態を例示する図である。
【０１６３】
図３１の例では、選択用領域Ａ３４において、項目「基本部位」に係る用語「左肺門部」と項目「基本所見」に係る用語「拡大」との組に関連する項目「診断」に係る用語の候補が、ハッチングが付された表示要素によって示されている。また、図３２の例では、選択用領域Ａ３４において、項目「基本部位」に係る用語「左側肋骨」と項目「基本所見」に係る用語「硬化像」との組に関連する項目「診断」に係る用語の候補が、ハッチングが付された表示要素によって示される。これにより、指定された項目「基本部位」および「基本所見」に係る用語の組と関連する項目「診断」の用語が容易に把握され得るため、診断結果レポートの作成における用語の指定が更に容易となる。
【０１６４】
また、図３１および図３２の例では、上記図２８の例と同様に、用語一覧において表示される項目「診断」に属する用語の表示要素に付されたハッチングの濃さが、用語の少なくとも１つの組合せにおいて用語の出現する度合いに応じて濃くなっている。ここで、用語の少なくとも１つの組合せは、組合せ頻度情報１２２ｄのうちの、部位指定部３０８で指定された１つの用語と要素指定部３１１で指定された１以上の用語それぞれとの組に対応するものであり、関連認識部３１０によって認識され得る。これにより、指定された項目「基本部位」および「基本所見」に係る用語の組との関連性が高い項目「診断」の用語が容易に把握され得る。その結果、診断結果レポートの作成における用語の指定が更に容易となり得る。
【０１６５】
このような診断支援処理によれば、胸部等の３次元の構造が捉えられた医用画像について、特定のカテゴリー「肺」に係る診断だけでなく、他のカテゴリー「縦隔」および「骨」等に係る診断も考慮されて、診断結果レポートの作成が支援される。
【０１６６】
＜(５)まとめ＞
以上のように、本実施形態に係る情報処理システム１によれば、体内の３次元の構造が捉えられた医用画像において注目位置が指定されると、注目位置に対応する基本部位に係る複数の候補としての複数の用語が認識される。これにより、専門医のように医用画像における影の重なり等によって３次元の構造をイメージしながら異常な影の「基本部位」を特定することが難しい一般の医師であっても、異常な影の「基本部位」がより正確に特定され得る。また、基本部位に係る複数の候補としての複数の用語から一の用語が指定されると、指定された一の用語に関連する基本部位以外の他の項目に係る用語が他の用語とは区別可能な態様で表示される。これにより、体内の３次元の構造に応じた診断結果レポートの作成が誘導される。その結果、診断結果レポートが効率良く的確に作成され得る。
【０１６７】
＜(６)変形例＞
なお、本発明は上述の一実施形態に限定されるものではなく、本発明の要旨を逸脱しない範囲において種々の変更、改良等が可能である。
【０１６８】
例えば、上記一実施形態では、支援テンプレートの用語一覧において、複数の項目に係る用語が列挙されたが、これに限られない。例えば、項目毎に用語の複数の選択肢が列挙される用語一覧が時間順次に表示されても良い。この場合、例えば、表示制御部３０４によって、部位指定部３０８で指定された１つの用語に対応する用語の１以上の組合せに含まれ且つ第２項目としての項目「基本所見」に属する１以上の用語を示す第１一覧としての第１用語一覧が表示部３４に表示される。また、表示制御部３０４によって、第１用語一覧に示されている１以上の用語のうちの要素指定部３１１による１以上の用語の指定に応答して、第３項目としての項目「診断」に属する１以上の用語を示す第２一覧としての第２用語一覧が表示部３４に表示される。ここで、第２用語一覧で示される１以上の用語は、組合せ情報群としての組合せ頻度情報１２２ｄのうちの、部位指定部３０８で指定された１つの用語と要素指定部３１１で指定された１以上の用語それぞれとの組に対応する用語の少なくとも１つの組合せに含まれる。このような構成が採用されれば、限られた表示領域においても、診断に係る診断結果レポートが容易に作成され得る。
【０１６９】
図３３および図３４は、項目「基本所見」および「診断」について、項目毎に複数の用語が列挙される用語一覧が時間順次に表示される一形態を例示する図である。図３３には、上記一実施形態の支援テンプレートの選択用領域Ａ３３に対応する項目「基本所見」に係る用語を選択するための第１用語一覧としてのウインドウ（所見ウインドウとも言う）ＯＷ３３が示されている。図３４には、上記一実施形態の支援テンプレートの選択用領域Ａ３４に対応する項目「診断」に係る用語を選択するための第２用語一覧としてのウインドウ（診断ウインドウとも言う）ＯＷ３４が示されている。例えば、上記ステップＳ１０において、選択用領域Ａ３１〜Ａ３４の代わりに所見ウインドウＯＷ３３（図３３）が表示され、上記ステップＳ１４において、選択用領域Ａ３１〜Ａ３４の代わりに診断ウインドウＯＷ３４（図３４）が表示される構成が考えられる。
【０１７０】
なお、項目毎に用語の複数の選択肢が列挙される用語一覧が時間順次に表示される代わりに、例えば、２以上の項目を含む項目のグループ毎に用語の複数の選択肢が列挙される用語一覧が時間順次に表示される構成が採用されても良い。
【０１７１】
また、上記一実施形態では、項目「撮影条件」に対し、医用画像に付与されていた撮影条件に係る用語が自動的に指定されたが、これに限られない。例えば、操作部３３の操作に応じて、選択用領域Ａ３１において任意の用語が指定される構成が採用されても良い。
【０１７２】
また、上記一実施形態では、部位指定部３０８によって、項目「基本部位」に係る用語の候補としての２以上の用語のうち、優先度が相対的に高い用語が、初期状態における基本部位に係る用語として指定されたが、これに限られない。例えば、部位認識部３０６で認識された項目「基本部位」に係る用語の候補としての２以上の用語が選択肢として表示され、操作部３３の操作に応答して、部位指定部３０８によって、１つの選択肢に係る用語が指定される構成が採用されても良い。この場合、１つの選択肢に係る用語の指定方式としては、例えば、カテゴリーボタンＳＰ１〜ＳＰ５の押下による項目「基本部位」に係る用語の間接的な指定、および選択用領域Ａ３２における用語の直接的な指定の何れの指定方式が採用されても良い。
【０１７３】
また、上記一実施形態では、カテゴリーに係る各用語に対して、項目「基本部位」に係る１つの用語の候補が認識されたが、これに限られない。例えば、カテゴリーに係る１つの用語に対して、項目「基本部位」に係る２つ以上の用語の候補が認識されても良い。すなわち、部位認識部３０６では、カテゴリーに係る各用語に対して、項目「基本部位」に係る１以上の用語の候補が認識される構成が採用されても良い。この場合、例えば、カテゴリーに係るある１つの用語に対し、用語「基本部位」に係る２以上の用語の候補が選択肢として表示され、操作部３３の操作に応答して、部位指定部３０８によって、１つの選択肢に係る用語が指定される構成が採用されても良い。
【０１７４】
また、上記一実施形態では、部位認識部３０６で認識された項目「基本部位」に係る用語の候補の中から部位指定部３０８によって用語が指定されたが、これに限られない。例えば、部位認識部３０６で認識された項目「基本部位」に係る限られた用語の候補の中から、項目「基本所見」および「診断」に係る適切な用語を指定することができない場合には、項目「基本部位」に係る別の用語の指定が可能である構成が採用されても良い。
【０１７５】
また、上記一実施形態では、カテゴリーボタンＳＰ１〜ＳＰ５の押下によって項目「基本部位」に係る用語が間接的に指定されたが、これに限られない。例えば、カテゴリーボタンＳＰ１〜ＳＰ５の代わり、またはカテゴリーボタンＳＰ１〜ＳＰ５とは別に、部位認識部３０６で認識された項目「基本部位」に係る用語の候補が複数の選択肢として表示され、１つの選択肢が直接的に指定される構成が採用されても良い。
【０１７６】
また、上記一実施形態では、部位認識部３０６で第１処理および第２処理が行われることで注目位置に対応する項目「基本部位」に係る用語の候補が認識されたが、これに限られない。例えば、別の処理によって注目位置に対応する項目「基本部位」に係る用語の候補が認識されても良い。別の処理としては、例えば、医用画像における骨の配置から、解剖学的区分を示す複数の基本部位の名称を示す用語が認識される方法等が考えられる。例えば、一般的な胸部正面像では、鎖骨の下縁が上肺野の中心位置に対応し、横隔膜の上縁が肺野の下縁に一致する。このため、例えば、胸部正面像から比較的認識され易い鎖骨の下縁と横隔膜の上縁との位置関係に基づいて各解剖学的区分の範囲が認識され、注目位置に対応する解剖学的区分を示す項目「基本部位」に係る用語が認識される処理が考えられる。
【０１７７】
また、上記一実施形態では、部位指定部３０８で項目「基本部位」に係る用語が指定される度に、指定された項目「基本部位」に係る用語に対応する情報が、情報抽出部３０９によって組合せ頻度情報１２２ｄから抽出されたが、これに限られない。例えば、部位認識部３０６で項目「基本部位」に係る２以上の用語が認識されたことに応答して、該基本部位に係る２以上の用語にそれぞれ対応する情報が、情報抽出部３０９によって組合せ頻度情報１２２ｄから一旦抽出されても良い。この場合、例えば、部位指定部３０８で項目「基本部位」に係る用語が指定される度に、指定された項目「基本部位」に係る用語に対応する情報が、上記一旦抽出された情報から抽出される構成が採用され得る。これにより、項目「基本部位」に係る用語の変更に応じた処理が円滑に行われ得る。
【０１７８】
また、上記一実施形態では、診療情報１２１および支援情報１２２がサーバー１０の１つの記憶部１２に記憶されたが、これに限られない。例えば、診療情報１２１および支援情報１２２は、２箇所以上の記憶装置を含む記憶部において適宜分散されて格納されても良い。
【０１７９】
また、上記一実施形態では、１つの表示部３４に種々の情報が可視的に出力されたが、これに限られない。例えば、２つ以上の表示装置を含む表示部において種々の情報が適宜分離された状態で可視的に出力されても良い。例えば、医用画像が第１の表示装置に表示され、支援テンプレートが第２の表示装置に表示される構成等が考えられ得る。
【０１８０】
また、上記一実施形態では、支援情報１２２に、用語情報１２２ｃおよび組合せ頻度情報１２２ｄが含まれていたが、これに限られない。例えば、支援情報１２２に、多数の構造化レポートデータが含まれていても良い。この場合、多数の構造化レポートデータは、体内の３次元の構造における部位に係る第１項目ならびに該第１項目とは異なる第２項目および第３項目を含む複数の項目に対してそれぞれ複数の要素が属しており、且つ複数の項目にわたる要素の複数の組合せを示す。
【０１８１】
また、上記一実施形態では、診断結果レポートを作成するために、項目「撮影条件」「基本部位」「基本所見」および「診断」に対して用語が指定される構成が採用されたが、これに限られない。例えば、医用画像で捉えられた体内の３次元の構造における部位に係る第１項目ならびに該第１項目とは異なる第２項目および第３項目を含む複数の項目のそれぞれに対して用語が指定され得る構成が採用されれば良い。
【０１８２】
また、上記一実施形態では、ユーザーによる操作部３３の操作に応じて指示信号が入力されたが、これに限られない。例えば、音声の入力に応じて、該音声が解析されて、指示信号が入力される態様が採用されても良い。すなわち、ユーザーによる動作に応じて、指示信号が入力されれば良い。
【０１８３】
また、上記一実施形態では、各項目に係る要素として、用語が採用されたが、これに限られず、種々の語句ならびに位置および領域を示す図等と言ったその他の要素が採用されても良い。
【０１８４】
また、上記一実施形態では、ユーザーによる操作部３３の操作に応じて指示信号が入力されたが、これに限られない。例えば、音声の入力に応じて、該音声が解析されて、指示信号が入力される態様が採用されても良い。すなわち、ユーザーによる動作に応じて、指示信号が入力されれば良い。
【０１８５】
また、上記一実施形態では、診断支援処理等を実現するための各種機能が、サーバー１０と端末機器３０との分担によって実現されたが、各種機能の分担の割合については、適宜変更可能である。
【０１８６】
また、上記一実施形態では、情報処理システム１として、サーバー１０と端末機器３０とが通信回線Ｗ１を介して接続されたサーバー−クライアントシステムが採用されていたが、これに限られない。例えば、個人病院のシステム等を想定して、上記情報システム１の機能が、１台のコンピューターで実現されても良い。
【０１８７】
なお、上記一実施形態および各種変形例をそれぞれ構成する全部または一部を、適宜、矛盾しない範囲で組み合わせ可能であることは、言うまでもない。
【符号の説明】
【０１８８】
１  情報処理システム
１０  サーバー
１１，３１  制御部
１２，３２  記憶部
３０  端末機器
３１  制御部
１１ａ，３１ａ  プロセッサー
１１ｂ，３１ｂ  メモリー
３３  操作部
３４  表示部
１２１  診療情報
１２２  支援情報
１２２ａ  位置対応情報
１２２ｂ  優先度情報
１２２ｃ  用語情報
１２２ｄ  組合せ頻度情報
１２３，３２１  プログラム
３０１  読出部
３０２  検査指定部
３０３  管理部
３０４  表示制御部
３０５  位置指定部
３０６  部位認識部
３０７  記憶制御部
３０８  部位指定部
３０９  情報抽出部
３１０  関連認識部
３１１  要素指定部
３１２  登録指定部
【図１】
2015156122.tif 000003
【図２】
2015156122.tif 000004
【図３】
2015156122.tif 000005
【図４】
2015156122.tif 000006
【図５】
2015156122.tif 000007
【図６】
2015156122.tif 000008
【図７】
2015156122.tif 000009
【図８】
2015156122.tif 000010
【図９】
2015156122.tif 000011
【図１０】
2015156122.tif 000012
【図１１】
2015156122.tif 000013
【図１２】
2015156122.tif 000014
【図１３】
2015156122.tif 000015
【図１４】
2015156122.tif 000016
【図１５】
2015156122.tif 000017
【図１７】
2015156122.tif 000018
【図１８】
2015156122.tif 000019
【図２２】
2015156122.tif 000020
【図２３】
2015156122.tif 000021
【図２４】
2015156122.tif 000022
【図２５】
2015156122.tif 000023
【図２６】
2015156122.tif 000024
【図２７】
2015156122.tif 000025
【図２８】
2015156122.tif 000026
【図２９】
2015156122.tif 000027
【図３０】
2015156122.tif 000028
【図３１】
2015156122.tif 000029
【図３２】
2015156122.tif 000030
【図３３】
2015156122.tif 000031
【図３４】
2015156122.tif 000032
【図１６】
2015156122.tif 000033
【図１９】
2015156122.tif 000034
【図２０】
2015156122.tif 000035
【図２１】
2015156122.tif 000036